(57)【特許請求の範囲】
【請求項１】
アップリンク無線信号の並行測定を要求する方法であって、
測定管理装置（１２０）において、所定の測定期間にわたって信号測定装置（１１０ａ）によって行われている、又は行われるべきアップリンク無線信号の測定を含むアップリンク（ＵＬ）測定の情報を決定する（１００２）ことと、
前記測定管理装置（１２０）において、前記信号測定装置（１１０ａ）の並行測定を行う能力を決定する（１００４）ことと、
前記測定管理装置（１２０）において、前記信号測定装置（１１０ａ）の測定構成の調節を決定することであって、前記測定構成は行われる並行測定の数に関連し、前記調節は、所定の測定期間にわたって前記信号測定装置（１１０ａ）によって行われている、又は行われるべきＵＬ測定と、前記信号測定装置（１１０ａ）の並行測定を行う能力との比較に基づくものである、決定する（１００６）ことと、
前記信号測定装置（１１０ａ）へ、前記測定構成の調節を送信する（１００８）ことと
を含む方法。
【請求項２】
更に、
前記所定の測定期間にわたって前記信号測定装置（１１０ａ）によって行われている、又は行われるべき前記ＵＬ測定が、前記信号測定装置（１１０ａ）の並行測定を行う能力を超えていないことを決定する（１１０２）ことと、
前記信号測定装置（１１０ａ）が並行測定を行う能力を超えていないとの前記決定に応じて、前記信号測定装置（１１０ａ）によって行われるべき一又は複数の追加のＵＬ測定を選択する（１１０６）ことと、
前記一又は複数の追加のＵＬ測定を識別する測定要求を前記信号測定装置（１１０ａ）へ送信することと
を含む、請求項１に記載の方法。
【請求項３】
前記一又は複数の追加のＵＬ測定を選択することは、前記信号測定装置（１１０ａ）において行われている、又は行われるべきＵＬ測定の組み合わせ、及び選択された前記一又は複数の追加のＵＬ測定の組み合わせが、前記信号測定装置（１１０ａ）の並行測定を行う能力を超えていないと決定することを含む、請求項２に記載の方法。
【請求項４】
前記信号測定装置（１１０ａ）の並行測定を行う能力は、前記所定の測定期間にわたって前記信号測定装置（１１０ａ）が行うことができるＵＬ測定の最大数に関連し、前記無線デバイスが並行測定を行う能力を超えていないことを決定することは、行われている、又は行われるべきＵＬ測定の総数、又は選択された前記一又は複数の追加のＵＬ測定の総数が前記最大数を超えていないことを決定することを含む、請求項１から３のいずれか一項に記載の方法。
【請求項５】
前記信号測定装置（１１０ａ）が並行測定を行う能力を超えていないことを決定することは、測定されている、又は測定されるべきＵＬ測定で、また選択された前記一又は複数の追加のＵＬ測定で必要とされる全リソースが、前記信号測定装置（１１０ａ）が使用するために利用可能な全リソースを超えていないことを決定することを含む、請求項２又は３に記載の方法。
【請求項６】
前記信号測定装置（１１０ａ）に割り当てられる全リソースは、受信機の種類、受信機の構成、測定ポートの数、アンテナの送信方式、アンテナの受信方式、ハードウェアコンポーネント、測定帯域幅、測定周波数、電力量、測定期間、測定期間にわたる測定サンプルの数のうちの少なくとも一つを含み、前記一又は複数の追加のＵＬ測定を選択することは、前記信号測定装置（１１０ａ）が使用するために利用可能なリソースを必要とするＵＬ測定を選択することを含む、請求項５に記載の方法。
【請求項７】
前記測定管理装置（１２０）は、ＷＣＤ（１３０、１４０）の位置を決定するように構成されており、前記追加のＵＬ測定を選択することは、
行われている、又は行われるべき前記ＵＬ測定それぞれの測定の種類を決定することと、
決定された前記測定の種類のそれぞれとは異なる測定の種類を有するＵＬ測定を、前記追加のＵＬ測定として選択することとを含む、請求項１から６のいずれか一項に記載の方法。
【請求項８】
行われている、又は行われるべき前記ＵＬ測定のうちの一つが位置決定方法で使用され、選択された前記追加のＵＬ測定が、同じ前記位置決定方法で使用される、請求項７に記載の方法。
【請求項９】
前記位置決定方法は、観測到達時間差（ＯＴＤＯＡ）；アップリンク到達時間差（ＵＴＤＯＡ）；エンハンスドセルＩＤ（Ｅ−ＣＩＤ）；適応型Ｅ−ＣＩＤ（ＡＥＣＩＤ）；及び適応型全地球航法衛星システム（ＡＧＮＳＳ）からなる群から選択される、請求項８に記載の方法。
【請求項１０】
前記測定管理装置（１２０）は、ＷＣＤの位置を決定するように構成されており、さらに、
前記測定管理装置（１２０）において、行われている、又は行われるべき前記ＵＬ測定が、前記信号測定装置（１１０ａ）の並行測定を行う能力を超える閾値量以内であることを決定することと、
前記決定に応じて、前記測定管理装置（１２０）において、ダウンリンク無線信号（ＤＬ）測定を使用した位置決定方法を選択することと、
前記測定管理装置（１２０）によって、一又は複数の前記ＷＣＤ（１３０、１４０）に対して選択された前記位置決定方法を送信することと
を含む、請求項１に記載の方法。
【請求項１１】
更に、
行われている、又は行われるべきＵＬ測定の組み合わせ、及び選択された前記一又は複数の追加の測定の組み合わせが、前記信号測定装置（１１０ａ）の並行測定を行う能力を超えていることを決定することと、
前記決定に応じて、行われている、又は行われるべき前記ＵＬ測定の測定要件を調節することであって、前記測定要件は、前記所定の測定期間、又は測定精度に関連する、調節することと、
調節された前記測定要件を前記信号測定装置（１１０ａ）に送信することと
を含む、請求項１０に記載の方法。
【請求項１２】
更に、
前記測定管理装置（１２０）において、行われている、又は行われるべき前記ＵＬ測定が、前記信号測定装置（１１０ａ）の並行測定を行う能力を超える閾値量以内であることを決定することと、
前記信号測定装置（１１０ａ）によって行われるべき追加のＵＬ測定を選択することと、
前記信号測定装置において、前記追加のＵＬ測定を要求する、又は送信する前に、遅延期間を予定に入れることと
を含む、請求項１０に記載の方法。
【請求項１３】
前記信号測定装置（１１０ａ）は、複数の信号測定装置（１１０ａ、１１０ｃ）の一つであり、さらに、
前記複数の信号測定装置（１１０ａ、１１０ｃ）の各信号測定装置に対し、その信号測定装置（１１０ａ）の容量を決定する（１４０２）ことであって、前記容量は、その信号測定装置（１１０ａ）の並行測定を行う能力と、その信号測定装置（１１０ａ）によって行われている、又は行われるべき前記ＵＬ測定との差である、決定する（１４０２）ことと、
前記複数の信号測定装置（１１０ａ、１１０ｂ、１１０ｃ）の内から、前記複数の信号測定装置（１１０ａ、１１０ｃ）のうちの別の信号測定装置の容量よりも大きい容量を有する信号測定装置（１１０ａ）を選択する（１４０４）ことと、
選択された前記信号測定装置（１１０ａ）に別の追加のＵＬ測定を割り当てる（１４０６）ことと
を含む、請求項１から１２のいずれか一項に記載の方法。
【請求項１４】
さらに、前記ＵＬ測定のＵＬ信号を送信するためにＷＣＤ（１３０）によって使用される送信構成の調節を、前記ＷＣＤ（１３０）に伝達することを含み、前記送信構成により、前記ＵＬ信号の前記信号測定装置（１１０ａ）への送信において前記ＷＣＤ（１３０）によって使用されるべきアンテナ構成が制御され、前記送信構成は、前記信号測定装置（１１０ａ）が並行測定を行う能力に基づいている、請求項１から１３のいずれか一項に記載の方法。
【請求項１５】
前記信号測定装置（１１０ａ）が並行測定を行う能力は、前記信号測定装置（１１０ａ）の受信機構成に基づいている、請求項１４に記載の方法。
【請求項１６】
前記測定管理装置（１２０）は、位置決めノード、ロケーションサーバ、調整ノード、及び操作及び管理（Ｏ＆Ｍ）ノードのうちの少なくとも一つを含む、請求項１から１５のいずれか一項に記載の方法。
【請求項１７】
アップリンク無線信号の並行測定を要求するための測定管理装置（１２０）であって、
一又は複数のプロセッサ（１９０２）であって、
所定の測定期間にわたって信号測定装置（１１０ａ）によって行われている、又は行われるべきアップリンク無線信号の測定を含むアップリンク（ＵＬ）測定の情報を決定し（１００２）、
前記信号測定装置（１１０ａ）の並行測定を行う能力を決定し（１００４）、
行われる並行測定の数に関連する前記信号測定装置（１１０ａ）の測定構成に対し、所定の測定期間にわたって前記信号測定装置（１１０ａ）によって行われている、又は行われるべきＵＬ測定と、前記信号測定装置（１１０ａ）の並行測定を行う能力との比較に基づくものである調節を決定し（１００６）、
前記測定構成の前記調節を前記信号測定装置へ送信する（１００８）ように
構成された一又は複数のプロセッサ（１９０２）を備える、測定管理装置（１２０）。
【請求項１８】
前記一又は複数のプロセッサ（１９０２）はさらに、
前記所定の測定期間にわたって前記信号測定装置（１１０ａ）によって行われている、又は行われるべき前記ＵＬ測定が、前記信号測定装置（１１０ａ）の並行測定を行う能力を超えていないことを決定し（１１０２）、
前記信号測定装置（１１０ａ）の並行測定を行う能力を超えていないとの前記決定に応じて、前記信号測定装置（１１０ａ）によって行われるべき一又は複数の追加のＵＬ測定を選択し（１１０６）、
前記一又は複数の追加のＵＬ測定を識別する測定要求を前記信号測定装置（１１０ａ）へ送信するように
構成されている、請求項１７に記載の測定管理装置（１２０）。
【請求項１９】
前記一又は複数のプロセッサは、前記信号測定装置（１１０ａ）で行われている、又は行われるべき前記ＵＬ測定の組み合わせ、及び選択された前記一又は複数の追加のＵＬ測定の組み合わせが、前記信号測定装置（１１０ａ）の並行測定を行う能力を超えていないことを決定することによって、前記一又は複数の追加のＵＬ測定を選択するように構成されている、請求項１８に記載の測定管理装置（１２０）。
【請求項２０】
前記信号測定装置（１１０ａ）の並行測定を行う能力は、前記所定の測定期間にわたって前記信号測定装置（１１０ａ）が行うことができるＵＬ測定の最大数に関連するものであり、前記一又は複数のプロセッサ（１９０２）は、行われている、又は行われるべき前記ＵＬ測定の総数、及び選択された前記一又は複数の追加のＵＬ測定の総数が前記最大数を超えていないことを決定することによって、前記無線デバイス（１３０）の並行測定を行う能力を超えていないことを決定するように構成されている、請求項１７から１９のいずれか一項に記載の測定管理装置（１２０）。
【請求項２１】
前記一又は複数のプロセッサ（１９０２）は、測定されている、又は測定されるべき前記ＵＬ測定によって必要とされる全リソース、及び選択された前記一又は複数の追加のＵＬ測定によって必要とされる全リソースが、前記信号測定装置（１１０ａ）が使用するために利用可能である全リソースを超えていないことを決定することによって、前記信号測定装置（１１０ａ）の並行測定を行う能力を超えていないことを決定するように構成されている、請求項１８又は１９に記載の測定管理装置（１２０）。
【請求項２２】
前記信号測定装置（１１０ａ）に割り当てられる全リソースは、受信機の種類、受信機の構成、測定ポートの数、アンテナの送信方式、アンテナの受信方式、ハードウェアコンポーネント、測定帯域幅、測定周波数、電力量、測定期間、前記測定期間にわたる測定サンプルの数のうちの少なくとも一つを含み、前記一又は複数のプロセッサは、前記信号測定装置（１１０ａ）が使用するために利用可能なリソースが必要とされるＵＬ測定を選択することによって、前記一又は複数の追加のＵＬ測定を選択するように構成されている、請求項２１に記載の測定管理装置（１２０）。
【請求項２３】
前記一又は複数のプロセッサ（１９０２）は、ＷＣＤ（１３０、１４０）の位置を決定するように構成され、
行われている、又は行われるべき前記ＵＬ測定それぞれの測定の種類を決定し、
決定された前記測定の種類それぞれと異なる測定の種類を有するＵＬ測定を、前記追加のＵＬ測定として選択することによって、
前記追加のＵＬ測定を選択するように構成されている、請求項１７から２２のいずれか一項に記載の測定管理装置（１２０）。
【請求項２４】
行われている、又は行われるべき前記ＵＬ測定の内の一つが位置決定方法で使用され、選択された前記追加のＵＬ測定が同じ前記位置決定方法で使用される、請求項２３に記載の測定管理装置（１２０）。
【請求項２５】
前記位置決定方法は、観測到達時間差（ＯＴＤＯＡ）；アップリンク到達時間差（ＵＴＤＯＡ）；エンハンスドセルＩＤ（Ｅ−ＣＩＤ）；適応型Ｅ−ＣＩＤ（ＡＥＣＩＤ）；適応型全地球航法衛星システム（ＡＧＮＳＳ）から成る群から選択される、請求項２４に記載の測定管理装置（１２０）。
【請求項２６】
前記一又は複数のプロセッサ（１９０２）はさらに、
ＷＣＤの位置を決定し、
行われている、又は行われるべき前記ＵＬ測定が、前記信号測定装置（１１０ａ）の並行測定を行う能力を超える閾値量内であることを決定し、
前記決定に応じて、ダウンリンク無線信号（ＤＬ）測定を使用する位置決定方法を選択し、
選択された前記位置決定方法を一又は複数のＷＣＤに送信する
ように構成されている、請求項１７に記載の測定管理装置（１２０）。
【請求項２７】
前記一又は複数のプロセッサ（１９０２）はさらに、
行われている、又は行われるべき前記ＵＬ測定の組み合わせ、及び選択された一又は複数の追加の測定の組み合わせが、前記信号測定装置（１１０ａ）の並行測定を行う能力を超えていることを決定し、
前記決定に応じて、行われている、又は行われるべき前記ＵＬ測定の、前記所定の測定期間、又は測定精度を含む測定要件を調節し、
調節された前記測定要件を前記信号測定装置（１１０ａ）へ送信する
ように構成されている、請求項１７に記載の測定管理装置（１２０）。
【請求項２８】
前記一又は複数のプロセッサ（１９０２）はさらに、
行われている、又は行われるべき前記ＵＬ測定が、前記信号測定装置（１１０ａ）の並行測定を行う能力を超える閾値量内であることを決定し、  
前記信号測定装置（１１０ａ）によって行われるべき追加のＵＬ測定を選択し、   
前記信号測定装置（１１０ａ）において前記追加のＵＬ測定を要求する前に、又は送信する前に、遅延期間を予定に入れる
ように構成されている、請求項１８に記載の測定管理装置（１２０）。
【請求項２９】
前記信号測定装置（１１０ａ）は、複数の信号測定装置（１１０ａ、１１０ｂ、１１０ｃ）のうちの一つであり、前記一又は複数のプロセッサ（１９０２）はさらに、
前記複数の信号測定装置（１１０ａ、１１０ｂ、１１０ｃ）それぞれについて、その信号測定装置の並行測定を行う能力と、その信号測定装置によって行われている、又は行われるべき前記ＵＬ測定との間の差である、その信号測定装置の容量を決定（１４０２）し、
前記複数の信号測定装置（１１０ａ、１１０ｂ、１１０ｃ）の内から、前記複数の信号測定装置のうちの別の信号測定装置の容量よりも大きい容量を有する信号測定装置（１１０ａ）を選択（１４０４）し、
別の追加のＵＬ測定を、選択された前記信号測定装置（１１０ａ）に割り当てる（１４０６）
ように構成されている、請求項１７から２８のいずれか一項に記載の測定管理装置（１２０）。
【請求項３０】
前記一又は複数のプロセッサ（１９０２）はさらに、前記ＵＬ測定用のＵＬ信号を送信するためにＷＣＤ（１３０）によって使用される送信構成の調節を、ＷＣＤ（１３０）へ伝達するように構成されており、前記送信構成により、前記ＵＬ信号を前記信号測定装置（１１０ａ）に送信する際に前記ＷＣＤ（１３０）によって使用されるべきアンテナ構成が制御され、前記送信構成は、前記信号測定装置（１１０ａ）の並行測定を行う能力に基づいている、請求項１７から２９のいずれか一項に記載の測定管理装置（１２０）。
【請求項３１】
前記信号測定装置（１１０ａ）の並行測定を行う能力が、前記信号測定装置（１１０ａ）の受信機構成に基づいている、請求項３０に記載の測定管理装置（１２０）。
【請求項３２】
前記測定管理装置（１２０）は、位置決めノード、ロケーションサーバ、調整ノード、及び操作及び管理（Ｏ＆Ｍ）ノードのうちの少なくとも一つを備える、請求項１７から３１のいずれか一項に記載の測定管理装置（１２０）。
【請求項３３】
第１の無線通信デバイス（ＷＣＤ（１３０））、及び第２のＷＣＤ（１４０）の位置を決定するために並行信号測定を要求する方法であって、
測定管理装置（１２０）によって、前記第１のＷＣＤ（１３０）に関連する第１のアップリンク（ＵＬ）無線信号測定を識別する第１の測定要求を第１の信号測定装置（１１０ａ）に送信する（１５０２）ことと、
測定管理装置（１２０）において、前記第１の信号測定装置（１１０ａ）と、第２の信号測定装置（１１０ｃ）が互いに近接閾値内に位置づけされているか否かを決定する（１５０４）ことと、
前記第１の信号測定装置（１１０ａ）と前記第２の信号測定装置（１１０ｃ）が近接閾値内に位置づけされているとの決定に応じて、前記測定管理装置（１２０）によって、前記第２のＷＣＤ（１４０）に関連する第２のＵＬ測定を識別する第２の測定要求を前記第２の信号測定装置（１１０ｃ）に送信する（１５１０）ことと、
前記測定管理装置（１２０）において、前記第１の信号測定装置（１１０ａ）から前記第１のＵＬ測定値、及び前記第２の信号測定装置（１１０ｃ）から前記第２のＵＬ測定値を受信する（１５１４）ことと、
前記第１の測定値に基づく前記第１のＷＣＤの前記位置と、前記第２の測定値に基づく前記第２のＷＣＤ（１４０）の位置とを決定する（１５１６）ことと
を含む方法。
【請求項３４】
更に、
前記測定管理装置（１２０）において、前記第１の信号測定装置が並行測定を行う能力を決定することと、
前記測定管理装置（１２０）において、前記第１のＵＬ測定の組み合わせ、及び前記第１の信号測定装置（１１０ａ）において行われている、又は行われるべき前記ＵＬ測定の組み合わせが、前記第１の信号測定装置（１１０ａ）の並行測定を行う能力を超えているか否かを決定することと
を含む、請求項３３に記載の方法。
【請求項３５】
前記第１の信号測定装置（１１０ａ）と、前記第２の信号測定装置（１１０ｃ）が近接閾値内に位置づけされているか否かを決定することは、前記第１の信号測定装置からの情報、前記第２の信号測定装置からの情報、前記第１のＷＣＤ（１３０）又は第２のＷＣＤ（１４０）からの情報、ネットワーク装置からの情報、既定の情報、及び前記第１の信号測定装置（１１０ａ）と前記第２の信号測定装置（１１０ｃ）の配置を決定することのうちの少なくとも一つに基づく、請求項３３又は３４に記載の方法。
【請求項３６】
前記測定管理装置（１２０）は、位置決めノード、ロケーションサーバ、調整ノード、及び操作及び管理（Ｏ＆Ｍ）ノードのうちの少なくとも一つを備える、請求項３３から３５のいずれか一項に記載の方法。
【請求項３７】
第１の無線通信デバイス（ＷＣＤ）の位置と、第２のＷＣＤの位置を決定するために、並行信号測定を要求する測定管理装置（１２０）であって、
一又は複数のプロセッサを備え、前記一又は複数のプロセッサは、
第１の信号測定装置（１１０ａ）に、前記第１のＷＣＤ（１３０）に関連する第１のアップリンク（ＵＬ）無線信号測定を識別する第１の測定要求を送信し（１５０２）、
前記第１の信号測定装置（１１０ａ）と、第２の信号測定装置（１１０ｃ）が、互いに近接閾値内に位置づけされているか否かを決定し（１５０４）、
前記第１の信号測定装置（１１０ａ）と前記第２の信号測定装置（１１０ｃ）が前記近接閾値内に位置づけされているとの前記決定に応じて、前記第２のＷＣＤに関連する第２のＵＬ測定を識別する第２の測定要求を前記第２の信号測定装置（１１０ｃ）に送信し（１５１０）、
前記測定管理装置（１２０）において、前記第１の信号測定装置（１１０ａ）から前記第１のＵＬ測定値と、前記第２の信号測定装置（１１０ｃ）から前記第２のＵＬ測定値を受信し（１５１４）、
前記第１の測定値に基づいて前記第１のＷＣＤ（１３０）の前記位置と、前記第２の測定値に基づいて前記第２のＷＣＤ（１４０）の前記位置とを決定する（１５１６）
ように構成されている、測定管理装置（１２０）。
【請求項３８】
前記一又は複数のプロセッサはさらに、
前記測定管理装置（１２０）において、前記第１の信号測定装置の並行測定を行う能力を決定し、
前記測定管理装置（１２０）において、前記第１のＵＬ測定の組み合わせと、前記第１の信号測定装置（１１０ａ）において行われている、又は行われるべき前記ＵＬ測定の組み合わせとが、前記第１の信号測定装置（１１０ａ）の並行測定を行う能力を超えているか否かを決定する
ように構成されている請求項３７に記載の測定管理装置（１２０）。
【請求項３９】
前記一又は複数のプロセッサ（１９０２）は、前記第１の信号測定装置（１１０ａ）からの情報、前記第２の信号測定装置（１１０ｃ）からの情報、前記第１のＷＣＤ（１３０）又は第２のＷＣＤ（１４０）からの情報、ネットワーク装置からの情報、既定の情報、及び前記第１の信号測定装置（１１０ａ）と前記第２の信号測定装置（１１０ｃ）の配置を決定することによってのうちの少なくとも一つに基づいて、前記第１の信号測定装置（１１０ａ）と、前記第２の信号測定装置（１１０ｃ）とが近接閾値内に位置づけされているか否かを決定するように構成されている、請求項３７又は３８に記載の測定管理装置（１２０）。
【請求項４０】
前記測定管理装置（１２０）は、位置決めノード、ロケーションサーバ、調整ノード、及び操作及び管理（Ｏ＆Ｍ）ノードのうちの少なくとも一つを備える、請求項３７から３９のいずれか一項に記載の測定管理装置（１２０）。
【発明の詳細な説明】
【技術分野】
【０００１】
本発明は、アップリンク無線信号の並行測定を要求するためのシステム、方法、装置、及びコンピュータプログラム製品に関する。
【背景技術】
【０００２】
ＧＳＭ、ＵＭＴＳ、又はＬＴＥ等の電気通信システムでは、様々な目的で無線測定を行う。例えば、無線通信デバイス（ＷＣＤ）、又は基地局は、受信した無線信号のタイミング、電力、又は方向を測定し、この測定値を、無線リソース管理（ＲＰＭ）、モビリティ管理、又は位置情報サービス（ＬＢＳ）等のサービスに使用することができる。各測定値は、特定の周波数帯域、又は無線アクセス技術（ＲＡＴ）に対応しうる。この測定は、ダウンリンク（ＤＬ）無線信号上のＷＣＤ（すなわちＤＬ測定）によって実施されうる、又はアップリンク（ＵＬ）無線信号上の測定ノード（すなわちＵＬ測定）によって実施されうる。
【０００３】
信号の測定は、様々な電気通信操作に影響を与えるため、中容量又は大容量の測定、特に並行ＵＬ測定に対処する堅牢な方法が必要である。
【発明の概要】
【課題を解決するための手段】
【０００４】
信号の並行測定を要求するためのシステム、方法、及び装置が提示されている。一実施形態では、測定管理装置は、所定の測定期間にわたって信号測定装置によって行われている又は行われるべきＵＬ測定の情報を決定する。測定管理装置はさらに、信号測定装置の並行測定を行う能力を決定する。測定管理装置は、測定装置の測定構成の調節を決定する。測定構成は例えば、行われる任意の数の並行測定に関連する。調節は、所定の測定期間にわたって測定装置によって行われている、又は行われるべきＵＬ測定の比較と、測定装置の並行測定を行う能力に基づくものである。
【０００５】
一実施形態では、測定管理装置は第１の測定要求を第１の信号測定装置へ送る。測定要求は、第１の無線通信デバイス（ＷＣＤ）に関連する第１のＵＬ測定を識別する。測定管理装置はさらに、第１の信号測定装置と第２の信号測定装置が互いに近接閾値内に位置づけされているか否かを決定する。第１の測定装置と第２の測定装置が近接閾値内に位置づけされている場合、測定管理装置は第２の測定要求を第２の測定装置へ送る。第２の測定要求は、第２のＷＣＤに関連する第２のＵＬ測定を識別する。測定管理装置は、第１のＵＬ測定値と、第２のＵＬ測定値を受信する。測定管理装置は、第１のＵＬ測定値に基づいて第１のＷＣＤの位置を決定し、第２のＵＬ測定値に基づいて第２のＷＣＤの位置を決定する。
【図面の簡単な説明】
【０００６】
【図１】ＵＬ測定を行うためのシステムの任意の数のノードを示す図である。
【図２】ＵＬ測定を行うためのＬＴＥシステムの任意の数のノードを示す図である。
【図３】本発明の実施形態によるフロー図である。
【図４】本発明の実施形態によるフロー図である。
【図５】本発明の実施形態によるフロー図である。
【図６】本発明の実施形態によるフロー図である。
【図７】本発明の実施形態によるフロー図である。
【図８】本発明の実施形態によるフロー図である。
【図９】本発明の実施形態によるフロー図である。
【図１０】本発明の実施形態によるフロー図である。
【図１１】本発明の実施形態によるフロー図である。
【図１２】本発明の実施形態によるフロー図である。
【図１３Ａ】本発明の実施形態によるフロー図である。
【図１３Ｂ】本発明の実施形態によるフロー図である。
【図１４】本発明の実施形態によるフロー図である。
【図１５】本発明の実施形態によるフロー図である。
【図１６】本発明の実施形態によるフロー図である。
【図１７】本発明の一実施形態による測定管理ノードを示す図である。
【図１８Ａ】本発明の実施形態による信号測定ノードを示す図である。
【図１８Ｂ】本発明の実施形態による信号測定ノードを示す図である。
【図１９】本発明の一実施形態による無線通信デバイス（ＷＣＤ）を示す図である。
【発明を実施するための形態】
【０００７】
本願は、電気通信ネットワークにおいて、アップリンク（ＵＬ）無線信号の測定（すなわち、ＵＬ測定）を行うことに関する。ＵＬ測定とは、無線通信デバイス（ＷＣＤ）から送信され、ネットワークの信号測定ノード（「測定ノード」）によって受信される一又は複数のアップリンク（ＵＬ）無線信号（すなわち、ＵＬ信号）の測定を指す。測定を利用して、例えば信号の強度、信号のタイミング、又は信号の方向を決定することができる。測定は、ＷＣＤの（配置とも呼ばれる）位置の決定、電気通信ネットワークの運転試験（ＭＤＴ）機能の最小化の実行、自己組織化ネットワーク（ＳＯＮ）機能の実行、又はＷＣＤが使用する送信パラメータの構成を含む多くの目的に使用できる。
【０００８】
ＵＬ測定を行う信号測定ノードは、基地局に部分的に、又は完全に統合された装置（すなわち信号測定装置）であってよく、あるいは単独型デバイスであってもよい。信号測定ノードは、測定管理ノードと通信することができ、測定管理ノードは、どのＵＬ測定を行うべきかを特定することができ、行われた測定値を収集することができる。
【０００９】
ＵＬ測定を行うのに必要なリソースは、ＵＬ測定の数、測定されるＵＬ信号を送信しているＷＣＤの数、ＵＬ信号の周波数帯域、又は搬送周波数、ＵＬ信号に係る無線アクセス技術（ＲＡＴ）、又はこれらの任意の組み合わせ等の要因によって変化しうる。一実施形態では、必要なリソースは、測定要件によって変化する。例えば、あるシステムでは、所定の測定期間内に測定ノードが測定を行い報告することが求められている。別の例として、あるシステムでは、所定の精度で測定を行うことが求められている。
【００１０】
一般に、測定ノードが測定されているＵＬ信号のすべての測定構成（例えば、すべての測定量）、すべての周波数帯域、又は搬送周波数を処理できることを求めることは非能率的である。
【００１１】
むしろ、測定ノードのリソースにより、測定ノードが並行して行うことができるＵＬ測定の数、又は種類が制限されうる。例えば、マクロセル基地局に統合された測定ノードは、フェムトセル基地局に統合された測定ノードよりもＵＬ測定を行うためのリソースをたくさん有することができる。マクロセル基地局はたとえば、ＵＬ信号を受信するためにより多くのアンテナ又は受信機を提供する、より大きい処理電力を供給する、より多くの無線アクセス技術をサポートする、又はＵＬ信号を受信するためにより広い周波数帯域を提供することができる。したがって、異なる測定ノードは、異なる並行ＵＬ測定を行う能力を有しうる。ＵＬ測定を並行して行うには、少なくとも一部において、同じ期間にわたって、例えば所定の測定期間にわたってＵＬ測定を行うことが含まれうる。したがって、様々な実施形態では、並行測定は、同時に、同一の測定期間にわたって定期的に、及び／又は部分的に重なった測定期間にわたって行われる、又は行われる予定である２以上の測定を含みうる。より一般的には、並行測定は、関連する時間又は期間が同じ、又は少なくとも部分的に重なる各時間、又は期間にそれぞれある程度関連する任意の２以上の測定を表すものでありうる。加えて、並行測定は、同じ無線デバイスによって送られた異なる無線信号、又は一又は複数の異なる無線デバイスによって送信された無線信号に行われる測定を表しうる。さらに、並行測定は、同じ又は異なる搬送周波数で行われる測定を表すことができる。
【００１２】
ＵＬ測定が行われる時に測定ノード間の能力の差を考慮しなければ、測定ノードのリソースの使用は効果が上がらないものになりうる。例えば、測定管理ノード（「管理ノード」）は、測定ノードによって行われるべきＵＬ測定を要求する、又は予定に入れることができる。管理ノードが、測定ノードの並行ＵＬ測定を行う能力を考慮しなければ、管理ノードが測定ノードに課すＵＬ測定の数が多すぎて過負荷になったり、測定ノードに課すＵＬ測定の数が少なすぎて、十分に活用することができない可能性がある。前者の場合、結果は予測不能である。過負荷がかかった測定ノードは、予測不能な遅延時間の後にある程度の測定値を返す、未知の精度の測定値を返す、又は単純にこれらの測定を行うことができない可能性がある。さらに、測定ノードの過負荷は、高レベルの電力消費、シグナリングの過負荷、誤差率、遅延、又はこれらの任意の組み合わせにつながりうる。
【００１３】
現在、ＬＴＥ電気通信ネットワークは、ＱｏＳクラス識別子（ＱＣＩ）パラメータに基づいて、特定のｅＮｏｄｅＢによっていくつのＵＥがサービングされているかを計算することができる。しかしながら、この計算値は、測定ノードの並行ＵＬ測定を行う能力を反映するものではない。
【００１４】
現在のＬＴＥの３ＧＰＰ  ＴＳ  ３６．１３３規格では、複数の報告基準を並行してトラッキングするＷＣＤの能力の最低要件が規定されている。報告基準は、同一周波数、異周波数、及び異ＲＡＴ測定に関する測定カテゴリを含む。ＷＣＤは、測定構成がこれらの要件を超えない限り、最低要件を満たすことを予期することができる。しかしながら、ＵＬ測定を行う測定ノードのリソース、及び能力は、携帯電話の中継塔に統合されたノードから、フェムトセルの単独型ノードまで大きく異なりうるため、ＵＬ測定を行うすべての測定ノードに対して均一の最低要件を規定するには費用がかかり、非効率的である。同様に、上記測定ノードのすべて、又はすべての基地局にさえ、公表されたすべての周波数、無線アクセス技術（ＲＡＴ）、及び周波数帯域にわたって任意の数の並行ＵＬ測定を行うことができることを求めることもまた、費用がかさみ、非効率的である。このため、堅牢で予測可能な方法でＵＬ測定を処理する別のシステム及び方法が必要である。
【００１５】
上記システム及び方法を下に記す。一般に、ある期間において測定ノードがどのＵＬ測定を行っている、又は行うつもりであるかの情報を決定することができる。測定ノードの並行ＵＬ測定を行う能力の情報もまた決定することができる。信号測定ノード自体、測定管理ノード、又は別のノードのうちの少なくとも一つによって、いずれかの情報をトラッキングすることができる。この情報を使用して、例えばＵＬ測定の実施に割り当てられた測定リソース、測定要件、ＷＣＤ送信構成、又は測定構成のうちの少なくとも一つ等の調節を行うことに使用することができる。測定リソースは、測定ノードの受信機及びプロセッサを含むことができる。測定リソースの調節はしたがって、測定ノードの無線リソース（例：アンテナ）を制御する受信機構成、及び測定ノードの処理回路を制御するプロセッサ構成の調節を含むことができる。ＷＣＤ送信構成は、ＷＣＤがどのようにしてＵＬ信号（どの搬送周波数を使用するか）を送信するかを規定するものである。測定構成は、測定ノードがどのＵＬ測定を行うか、又はＵＬ測定の一又は複数のパラメータを規定するものである。測定要件は、例えば測定期間又は測定精度を規定するものである。一実施形態では、測定要件は、測定構成のサブセットであってよい。上述した構成は、一又は複数の測定ノード及び測定管理ノードによって調節することができる。
【００１６】
したがって、様々な実施形態において、測定ノードの並行測定を行う能力を考慮に入れることができ、動的な調節を行って堅牢及び予測可能な方法でＵＬ測定を処理することができる。
【００１７】
図１は、並行ＵＬ測定を行う例示のシステム１００を示すものである。システム１００は、一又は複数の測定ノード（例：信号測定ノード１１０ａ、信号測定ノード１１０ｂ、又は信号測定ノード１１０ｃ）、一又は複数の測定管理ノード（例：測定管理ノード１２０）、及び一又は複数の無線通信デバイス（例：ＷＣＤ１３０及びＷＣＤ１４０）を含む。
【００１８】
信号測定ノード（「測定ノード」）は、ＵＬ信号を受信する、ＵＬ信号を処理する、ＵＬ信号の計算を行う、又はこれらの任意の組み合わせを行うように構成されたコンポーネントであってよい。測定ノードは、例えば信号測定ノード１１０ａ等の基地局の中に統合されたコンポーネントであってよく、あるいは単独型のコンポーネントであってよい。測定ノード１１０ｂ等のある単独型測定ノードは単独でＵＬ信号を処理することができるが、基地局の無線機器（例：アンテナ）からＵＬ信号を受信するために、やはり基地局と連結しうる。例えば測定ノード１１０ｃ等のいくつかの単独型測定ノードはそれ自体の無線機器を有することができ、基地局とのインターフェースを有さない場合がある。一例として、信号測定ノード１１０ａは、携帯電話の無線アクセスネットワーク（ＲＡＮ）の基地局の一部であってよいが、信号測定ノード１１０ｃはホーム又はオフィスのルータ、中継装置、又はセンサであってよい。
【００１９】
測定管理ノード（「管理ノード」）１２０は、信号測定ノード（例：１１０ａ、１１０ｂ、１１０ｃ）と通信して、各測定ノードがどのＵＬ測定を行うかを管理し、測定ノードからＵＬ測定値を収集する、又はこれらの任意の組み合わせを行うように構成された装置（すなわち、測定管理装置）であってよい。例えば、管理ノード１２０は、信号測定ノード１１０ａと１１０ｃの両方に、無線通信デバイス１３０からのＵＬ信号の測定を行うように命令することができる。この例では、管理ノード１２０は、ノード１１０ａと１１０ｃの両方からの測定値を記憶する、さらに処理する、別のノードに送信する、又はこれらの任意の組み合わせを行うために収集することができる。一実施形態では、管理ノード１２０は、システム１００のコアネットワークの一部であってよい。管理ノードの例には、一又は複数の位置決めノード、調整ノード、及び操作及び管理（Ｏ＆Ｍ）ノードが挙げられる。コアネットワークは、ＲＡＮをインターネットに連結させるものである。図１は、管理ノード１２０と信号測定ノードとの直接接続を示しているが、代わりにこれらを複数の中間通信デバイスを介して接続させることができる。
【００２０】
図１は、各信号測定ノードが、共通の時間ウィンドウ、または期間に（すなわち並行して）異なるＷＣＤからＵＬ信号を受信することができることを示す。例えば、信号測定ノード１１０ａは、特定期間にＷＣＤ１３０からＵＬ信号、そしてＷＣＤ１４０からＵＬ信号の両方を受信することができる。
【００２１】
システム１００は、ＧＳＭ、ＵＭＴＳ、ＬＴＥ、又は他の任意の種類の電気通信ネットワークの一部として実行することができる。例えば、図２は、並行ＵＬ測定を行うための例示のＬＴＥシステム１００ａを示すものである。この例では、信号測定ノードは、ｅＮＢ基地局（例：ＬＭＵ１１０ａ’）の中に統合された配置測定ユニット（ＬＭＵ）である、又は単独型ＬＭＵ（例：ＬＭＥ１１０ｂ’及びＬＭＵ１１０ｃ’）である。図２のＷＣＤはユーザ装置（ＵＥ）である。さらに、この図の測定管理ノードは、ＷＣＤ１３０ａの位置を決定するように構成された位置決めノードであり、次世代サービング管理ロケーションセンタ（ｅ−ＳＭＬＣ）デバイス１２０ａ、ロケーションサービスサポート（ＳＬＰ）デバイス１２０ｂ、ゲートウェイモバイルロケーションセンタ（ＧＭＬＣ）デバイス１２０ｃ及びモビリティ管理エンティティ  （ＭＭＥ）デバイス１２０ｄのうちの少なくとも一つを含む。この例の統合ＬＭＵ１１０ａ’は、Ｓ１インターフェース等のコントロールプレーンインターフェースを介して管理ノードと通信することができる。ＬＭＵ１１０ｂ’、又は１１０ｃ’は、ＳＬｍＡＰ等のユーザプレーンインターフェースを介して管理ノードと通信することができる。
【００２２】
図２はさらに、ＬＴＥのロケーションサービス（ＬＣＳ）システムの一部であってよいシステム１００ａを示す図である。ＬＣＳは、ＬＣＳクライアントはＬＣＳサーバにＬＣＳターゲットの配置を決定するように要求することができるロケーションベースサービス（ＬＢＳ）を実行する。図２において、ＷＣＤ１３０ａはＬＣＳターゲットであってよく、管理ノードはＬＣＳサーバを構成しうる。ＬＣＳクライアント２０４は、ロケーション決定要求をＬＣＳサーバへ伝達することができる。
【００２３】
図２に示すＬＴＥ位置決めアーキテクチャを後の項でさらに詳しく説明する。一般に、複数の信号測定ノード、例えばＬＭＵの１１０ａ‘、１１０ｂ’、及び１１０ｃ‘のいくつか又はすべては、ＷＣＤ１３０ａ等のＷＣＤからＵＬ信号のＵＬ測定を行うことができる。ある場合には、測定ノードからの測定値は、信号の強度、信号のタイミング、又はノードの配置における信号の方向を示しうる。測定値は、ｅ−ＳＭＬＣ１２０ａ及びＳＬＰ１２０ｂ等の測定管理ノードによって収集され、三角測量法等によってＷＣＤの位置又は配置が計算されうる。この計算は、ＷＣＤからのＵＬ信号が各測定ノードに到達するのにどのくらいかかるかに基づいて測定ノードの位置に対するＷＣＤの位置を決定するアップリンク到達時間差（ＵＴＤＯＡ）等の様々な位置決定法に基づいていてよい。ＵＬ測定は、後の項で説明するＭＤＴの実行又はＳＯＮの実行等の他の応用形態に使用可能である。
【００２４】
例示の方法
図３は、測定ノードによって行われる測定要件を動的に調節するプロセス３００を示すフロー図である。プロセス３００により、信号測定ノードが、ある（期間とも呼ばれる）時間ウィンドウ内で行われている、又は行われるべき測定でそれ自体に過負荷がかかっているか否かを正確に測定し、それ自体に過負荷がかかっている場合に測定要件を動的に調節することが可能になる。調節をこのように計画的にすることにより、過負荷がかかった測定ノードが測定の実施ができない、又は予測不能な遅延時間経過後に実施する、又は未知の精度の測定値が返ってくるような状況が避けられる。むしろ、測定期間、測定精度、又はその他の測定要件が調節された場合に、調節値は予測可能となり、測定ノード、管理ノード、及び調節が通知されるその他任意のノードのうちの少なくとも一つに既知となる。
【００２５】
一実施形態では、プロセス３００はステップ３０２で開始する。ステップ３０２では、信号測定ノード（例：測定ノード１１０ａ）が、所定の測定期間にわたって測定ノードによって行われている、又は行われるべきＵＬ測定の情報を決定する。ＵＬ測定の情報は、測定を行うのにどのリソースが必要かを反映するものであってよい。例えば、この情報は、所定の測定期間にわたって行われている、又は行われるべきＵＬ測定の総数、測定用のＵＬ信号を送信することになるＷＣＤの総数、ＵＬ測定を行うのに必要な全帯域幅、ＵＬ測定を行うのに必要な一連の周波数帯域、ＵＬ測定を行うのに必要な一連の無線アクセス技術（ＲＡＴ）、ＵＬ測定を行うのに必要な一連の計算、ＵＬ測定を行うのに必要な処理電力量又は処理時間、又はこれらの任意の組み合わせを示すことができる。
【００２６】
一実施形態では、所定の測定期間は測定ノードに、例えばネットワークオペレータによって予め設定しておくことができる。一実施形態では、所定の測定期間は、測定ノードによって、又は測定管理ノードによって予め設定された値であってよい。所定の測定期間は例えば、測定ウィンドウが時間ウィンドウの開始において要求されていた又は予定されていたすべての測定を行わなければならない時間ウィンドウと、時間ウィンドウの開始において行われていた（すなわち、完了していない）すべての測定を定義する。一実施形態では、所定の測定期間は、ＵＬ信号が受信された、又はサンプリングされた時間、測定要求を処理する前処理時間、及び後処理時間のうちの少なくとも一つを含む。ＵＬ測定を並行して行うということは一般に、同じ測定期間内の様々な時点でこれらを行うことを指す。
【００２７】
一例では、ステップ３０２の信号測定ノードは、測定管理ノードが所定の測定期間（例：１０ミリ秒、１００ミリ秒、又は１秒ウィンドウ）にわたって行われるべき４つのＵＬ測定を要求した、又は予定に入れたことを決定することができる。信号測定ノードはさらに、管理ノードによって事前に要求された２つのＵＬ測定が現在まだ行われている、又はまだ行う必要があることを決定することができる。したがって、この例では、信号測定ノードは、測定期間にわたってノードが行っている、又は行わなければならない６つのＵＬ測定を決定することができる。
【００２８】
ステップ３０４では、測定ノードが、測定ノードの並行測定を行う能力を決定する。一実施形態では、測定ノードの並行測定を行う能力は下記、ａ）所定の測定期間にわたって信号測定ノードが行うことができる（すなわち、現在ＵＬ測定に割り当てられた測定リソースで行うことができる）ＵＬ測定の最大数、ｂ）所定の測定期間にわたって測定ノードが受信することができるＵＬ信号の最大数、ｃ）所定の測定期間にわたって測定ノードが行うことができる計算の最大数、及びｄ）所定の測定期間にわたって測定ノードがＵＬ信号を受信することができるＷＣＤの最大数のうちの一又は複数を指すものである。一例では、信号測定ノードは、信号測定ノードが有するアンテナの数、異なるＵＬ信号を区別するアンテナの性能、測定ノードが測定期間にわたっていくつの周波数帯域をモニタリングすることができるか、測定ノードが測定期間にわたって幾つの計算を行うことができるか、電力制限、又はこれらの任意の組み合わせに基づいて既定の期間にいくつＵＬ信号を受信することができるかが限定されうる。
【００２９】
一実施形態では、測定ノードの並行測定を行う能力は、ネットワークオペレータ又はメーカーによって予め設定されている可能性がある、又は測定ノードのハードウェア、ソフトウェア、又はその他のリソースの機能として計算することができる。一実施形態では、測定ノードの並行測定を行う能力は、測定カテゴリによって変化しうる。例えば、測定ノードは、測定ノードが各カテゴリに対して行うことができる測定の最大数を規定することができ、測定ノードが行うことができる測定の最大総数を規定することができる。
【００３０】
一実施形態では、測定ノードの能力は測定要件によって変化しうる。信号測定ノードは、異なる測定要件に対して異なる能力情報を報告することができる。例えば、あるレベルの測定精度が要求される場合、測定ノードは、ノードによってサポートされるＵＬ測定の第１の最大数を報告することができる。高いレベルの測定精度が要求される場合、測定ノードは、ノードによってサポートされるＵＬ測定の第２の少ない最大数を報告することができる。測定ノードの並行ＵＬ測定を行う能力に影響を与える要因のその他の例をさらに下に記載する。
【００３１】
ステップ３０６において、信号測定ノードは、信号測定ノードによって所定の測定期間にわたって行われている、又は行われるべきＵＬ測定が、測定ノードの並行測定を行う能力を超えるか否かを決定する。この決定は、例えば、所定の測定期間にわたってＵＬ測定を行うために信号測定ノードに十分なリソースが割り当てられているか否かを反映しうる。ある場合には、この決定は、所定の測定期間にわたって行われている、又は行われるべきＵＬ測定の総数が、この期間に測定ノードによってサポートされるＵＬ測定の最大数より多いか否かに基づくものであってよい。ある場合には、この決定は、ＵＬ信号の周波数帯域又は搬送周波数に基づくものであってよい。同じ周波数帯域で送信されるＵＬ信号が多すぎる場合、測定ノードは同じ測定期間においてこれらのＵＬ信号をすべて受信することができない場合がある。ある場合には、この決定は、ＵＬ信号を送信するのに使われる無線アクセス技術（ＲＡＴ）に基づくものであってよい。ＵＬ信号が、測定ノードによってサポートされないＲＡＴを使用して送信された場合、測定ノードはＵＬ信号の測定を行うことができない場合がある。ある場合には、この決定は、いくつのＷＣＤがＵＬ信号を送信するかに基づくものであってよい。測定ノードは、ＵＬ測定の総数が最大数を超えない場合であっても、特定数のＷＣＤ以上のＷＣＤに対応することができない場合がある。
【００３２】
ステップ３０６の実施形態では、ＵＬ測定が測定ノードの能力を超えているか否かの決定が記載されているが、ステップ３０６の別の実施形態、又はその他任意のステップの別の実施形態では、ＵＬ測定が、測定ノードの能力を超える閾値量内であるか否かを決定することができる、又はＵＬ測定が閾値を超える量で能力を超えているか否かを決定することができる。
【００３３】
ステップ３０８において、信号測定ノードは、測定ノードの並行測定を行う能力を超えているとの決定に応じて、測定要件を調節する。
【００３４】
一実施形態では、測定期間は測定要件である。この実施形態では、測定ノードが、所定の測定期間にわたって行われている、又は行われるべきＵＬ測定が、測定ノードの測定を行う能力を超えることを決定しているため、ノードは測定期間を延長する。ある場合には、所定の測定期間の延長には、別のノード、例えば測定管理ノードに通知することが含まれうる。所定の測定期間の調節は、図６に関してさらに詳しく記載されている。
【００３５】
一実施形態では、測定要件は測定精度を含むことができる。この実施形態では、信号測定ノードは、ノードが所定の測定期間と、測定精度内のいずれにおいてもＵＬ測定を行う能力を有さないことをすでに決定している場合がある。例えば、ＵＬ信号の測定精度は、ＵＬ信号をサンプリングするのにどの位の時間がかかるか、ＵＬ信号をサンプリングするのにどの位の帯域幅が使用されるか、ＵＬ信号は時間内の幾つの時点、または幾つの周波数ポイントでサンプリングされるか、又はこれらの任意の組み合わせに影響されうる。測定ノードにおいて予定されている、又は要求されているＵＬ測定が多すぎる場合、ＵＬ信号の個別のサンプリング時間が合計に追加され、所定の測定期間が長くなりうる。この実施形態では、信号測定ノードは、各ＵＬ測定の測定精度を下げることによって測定要件を調節することができる。この精度の低下により、信号測定ノードが短い期間に各ＵＬ信号をサンプリングすることができるようになり、さらに多くのＵＬ信号をサンプリングすることができるようになり、所定の測定期間にわたってさらに多くのＵＬ測定を行うことができるようになりうる。測定期間の調節は、図７に関してさらに詳しく下に記載されている。測定要件の調節にはしたがって、所定の測定期間、測定精度、及びその他任意の測定要件のうちの少なくとも一つの調節が含まれうる。
【００３６】
上述した決定及び調節ステップは、信号測定ノードによって行われるが、一又は複数のステップを、別のノード、例えば測定管理ノードによっても行うことができる、又は代替的に行うことができる。上記シナリオでは、測定管理ノードは、測定管理ノードがどのＵＬ測定を測定ノードに要求した、又は予定したかを正確にトラッキングすることができる。測定ノードがどのＵＬ測定を完了させたかを正確にトラッキングすることによっても、測定管理ノードは、測定期間にわたって測定ノードがどの残りのＵＬ測定をまだ行っているか、又は行うべきかを決定することができる。未処理のＵＬ測定の数が、測定ノードの並行測定を行う能力を超えた場合、測定管理ノードは、測定要件を緩めることによって調節することができる。調節された測定要件を次に、測定ノードに伝達することができる。
【００３７】
ステップ３１０では、信号測定ノードは、ステップ３０８において調節されている可能性がある測定要件にしたがってＵＬ測定を行う。下にさらに詳しく説明するように、ＵＬ測定の実施には、ＵＬ信号の受信、及びＵＬ信号の計算の実施のうちの少なくとも一つが含まれうる。ある場合には、２つのＵＬ測定には、同じＵＬ信号に行われる２つの異なる計算が伴いうる。
【００３８】
図４は、ステップ３０６のさらに詳しい例を提供するフロー図であり、ステップ３０６において、測定ノードによって所定の測定期間にわたって行われている、又は行われるべきＵＬ測定が、測定ノードの能力を超えるか否かが決定される。この例では、測定ノードの並行測定を行う能力は、ＷＣＤの最大数を反映し、ノードはこのＷＣＤから所定の測定期間にわたってＵＬ信号を受信することができる。したがって、ステップ４０２において、信号測定ノードは、所定の測定期間にわたって測定されるべきＵＬ信号を送信するＷＣＤの総数を決定する。ある場合には、ＷＣＤの数はＵＬ測定の数と等しく、これにより一つのＷＣＤに対して一つのＵＬ測定が行われる。ある場合には、ＷＣＤの数はＵＬ測定の数よりも少ない場合があり、この場合、一つのＷＣＤに対して複数のＵＬ測定がおこなわれる。
【００３９】
ステップ４０４において、信号測定ノードは、測定ノードがＵＬ信号を受信することができるＷＣＤの最大数を決定する。ＷＣＤの最大数は、ネットワークオペレータ又はメーカーによって予め設定することができる、又は動的に決定することができる。
【００４０】
ステップ４０６では、信号測定ノードは、所定の測定期間にわたって測定用のＵＬ信号を送信するＷＣＤの総数が、測定ノードによってサポートされるＷＣＤの最大数を超えるか否かを決定する。図示した例では、信号測定ノードは、ノードによってサポートされるＷＣＤの最大数を超えるとの決定に応じて、ステップ３０８において調節要件の調節を進める、又は最大数を超えないとの決定に応じて測定要件を調節せずにＵＬ測定の実施を進める。
【００４１】
上述したように、図示した実施形態はＵＬ信号を送信するＷＣＤの総数が測定ノードによってサポートされるＷＣＤの最大数を超えるか否かを決定することを含むが、別の実施形態は、ＷＣＤの総数が最大数を超える閾値量内であるか否か、又は閾値量を超えて総数が最大数を超えるか否かを決定することを含みうる。
【００４２】
図５は、調節ステップ３０８のさらに詳しい例を提示するフロー図である。この例では、信号測定ノードは所定の測定期間を延長する。延長期間は、測定ノードの並行ＵＬ測定を行う能力をどれくらい超えているかに基づいている。ステップ５０２において、信号測定ノードは、行われている、又は行われるべきＵＬ測定の総数の、測定ノードによってサポートされるＵＬ測定の最大数を超越する量を決定する。
【００４３】
ステップ５０４において、信号測定ノードは、最大数を超越する量に基づき所定の測定期間を調節する。ある場合には、調節は、測定されるＵＬ信号を送信するＷＣＤの数、測定ノードによってサポートされるＷＣＤの最大数、受信機構成（例：帯域幅、周波数、搬送波アグリゲーション（ＣＡ）構成）、及びＷＣＤ送信構成（例：ＵＬ信号の周波）のうちの少なくとも一つに基づくものであってもよい、又は代替的に基づくものである。さらに具体的な例として、ＬＴＥシステムの全体的な延長測定期間を計算するために下記式が提示される。
ＴＲＴＯＡ、Ｅ−ＵＴＲＡＮ  ＝  ＴＳＲＳ    ×  （Ｍ−１）  ×  （ｎ／Ｎ）  ＋  Δ    （ミリ秒）
【００４４】
測定期間は、ｅＵＴＲＡＮ無線アクセスネットワークの測定ノードによって行われる相対到達時間（ＲＴＯＡ）測定のためである。測定は、サウンディング基準信号（ＳＲＳ）に行われる。ある場合には、測定期間にわたって複数のＳＲＳ信号が使用される。この文脈において、ＴＲＴＯＡ、Ｅ−ＵＴＲＡＮは延長測定期間を表す。Ｍは、測定期間にわたって使用されるＳＲＳ信号の数を表す。ＴＳＲＳは、複数のＳＲＳ信号の各信号間の期間（例：２、５、１０、２０、４０、８０、１６０、又は３２０ミリ秒）を表す。ｎは、搬送波ごとに行われている、又は行われるべきＵＬ測定の総数を表す。Ｎは、信号測定ノードが並行して測定できるＷＣＤの最小数を表す。Δ  は、ＳＲＳのサンプリング、又は処理時間を表す。
【００４５】
上記の例をさらに発展させてみると、複数の搬送波が並行してサポートされる場合、延長測定期間の式は下記のようにアップデートできる。
ＴＲＴＯＡ、Ｅ−ＵＴＲＡＮ、ｍｕｌｔｉ−ｃａｒｒｉｅｒ  ＝  ｆ（ｋ、ＴＲＴＯＡ、Ｅ−ＵＴＲＡＮ）    （ミリ秒）
【００４６】
ある場合には、上記式は、下記のように表される。
ＴＲＴＯＡ、Ｅ−ＵＴＲＡＮ、ｍｕｌｔｉ−ｃａｒｒｉｅｒ    ＝  ｋ    ×  ＴＲＴＯＡ、Ｅ−ＵＴＲＡＮ    （ミリ秒）
【００４７】
ここで、ｋは、並行して測定される搬送波の数によって変化する倍率である。一例では、ｋは測定ノードによって並行して測定される搬送波の数に等しくてよい。
【００４８】
ステップ５０６において、信号測定ノードは、測定管理ノードに調節について通知する。上記のステップにより、測定ノードに過負荷がかかることを防ぎ、測定ノードが制御された予測可能な方法で測定に適合することが可能になる。
【００４９】
図６は、調節ステップ３０８のさらに詳しい例を示すフロー図である。これらのステップは、図５に示す調節ステップに加えて、又はこれの代わりに使用することができる。図６では、信号測定ノードは、測定精度を調節することによって測定要件を調節する。測定精度を下げることにより、例えば、測定期間に行われるＵＬ測定の数を増やすことができる。
【００５０】
ステップ６０２では、信号測定ノードは、測定期間を測定期間にわたって行われている、又は行われるべきＵＬ測定の総数で割る。総数は、例えばステップ３０２において決定しておくことができる。測定期間はしたがって、個別の測定期間に分割されうる。一実施形態では、測定精度は、個別の測定期間の持続時間に基づくものである。ＵＬ測定は、例えば、測定されるＵＬ信号が長い持続時間にわたってサンプリングされているため、又は長い持続時間によって信号に対して行われる計算をより正確なものとすることができるため、個別の測定期間が長いほどより正確なものになりうる。個別の測定期間を短縮することによって、測定ノードが対応することができるＵＬ測定の数を増やすことができる。
【００５１】
ある場合には、ステップ５０４で決定された延長測定期間を分割することができる。つまり、ある場合には、所定の測定期間が延長された後でも、行われている、又は行われるべきＵＬ測定が測定ノードの能力をまだ超えることがある。上記の場合、測定ノードは、その測定期間にわたってもっと多くのＵＬ測定に対応しようとして、測定精度も下げる場合がある。
【００５２】
ステップ６０４には、個別の測定期間を短縮することによって測定精度を下げることが記載されているが、測定ノードは、ＵＬ測定に対して取られた測定サンプルの数（すなわち、個別のサンプリングカウント）、及びＵＬ測定に使用される測定帯域幅（すなわち、個別の測定帯域幅）のうちの少なくとも一つを縮小することによって測定精度をさらに、又は代替的に下げることができる。
【００５３】
一実施形態では、測定ノードは、低下した精度がまだ所定の閾値よりも上であるか否かを決定することができる。
【００５４】
ステップ６０６では、ステップ５０６と同様に、信号測定ノードが調節について測定管理ノードに通知する。例えば、測定ノードは、アップデートされた個別の測定期間を管理ノードに通知する。一実施形態では、測定要件は、測定されているＵＬ信号が少なくとも特定数のＷＣＤからである条件等の一又は複数の条件を満たすものでありうる。その他の条件の例は、この開示内容において後に提示される。
【００５５】
図７は、測定ノードが、ノードの受信機構成、又はＷＣＤの送信構成を調節できるプロセスを示すフロー図である。図７のステップでは、並行ＵＬ測定を行う測定ノードの能力を上げることができる。並行ＵＬ測定は、図３に示すように、測定要件の調節に加えて、又は測定要件の調節の代わりに行うことができる。
【００５６】
ステップ７０２では、信号測定ノードは、ＵＬ測定の実施に割り当てられたリソースの量を増やすために、ノードの受信機構成を調節する。一実施形態では、受信機構成は、どの受信機を起動させるか、どの種類の受信機を起動させるか、どの受信機アンテナポート又は測定ポートを起動させるか、受信機の測定帯域幅、アンテナがサンプリングする搬送周波数、アンテナ受信方式、アンテナ送信及び／又は受信モード、使用される搬送方式、ＵＬ測定が行われている、又は行われるべき測定期間、及びＵＬ測定を行うための測定サンプルの数のうちの一又は複数を識別する。
【００５７】
したがって、例えば測定モードが、行われている、又は行われるべきＵＬ測定の総数が、ＵＬ測定のために起動されるアンテナが処理すべきＵＬ信号が多すぎると決定した場合、ノードは、ＵＬ測定を行うために追加のアンテナを起動させることによって受信機構成を調節することができる。
【００５８】
一実施形態では、測定ノードの受信機はアンテナ、送受信機、又はその他任意の無線受信機を指している。
【００５９】
ステップ７０４では、信号測定ノードは、測定されるべきＷＣＤに、ＷＣＤがどのようにＵＬ信号を送信するかを調節させることができる。例えば、測定ノードはＷＣＤにＷＣＤの送信構成を調節させるために、ＷＣＤにコマンドを送信する。一実施形態では、送信構成は、ＵＬ信号の搬送周波数、ＵＬ信号のアンテナ送信方式、ＵＬ信号の送信帯域幅、及びＷＣＤによって使用される送信アンテナ又はアンテナポートの数のうちの少なくとも一つを含む。一例として、測定ノードは、複数のＷＣＤに異なる送信搬送周波数を使用させるために、測定期間にわたって測定されるべき複数のＷＣＤにコマンドを送信することができる。上記のＷＣＤの送信構成に対する調節により、ＷＣＤからのＵＬ信号が、測定ノードにおいて受信された時に互いに干渉しないようにすることができる。別の例として、測定ノードは、各ＷＣＤが一つのアンテナのみでＵＬ信号を送信する時に限り、並行ＵＬ測定をサポートすることができる。したがって、測定ノードは、一又は複数のＷＣＤに例えば、２×２アンテナ構成の代わりに１×２アンテナ構成に適応させるために、一又は複数のＷＣＤにコマンドを送信することができる。
【００６０】
図８は、測定ノードが、所定の測定期間にわたって行われている、又は行われるべきＵＬ測定が測定ノードの並行ＵＬ測定を行う能力を超えるとの決定に応じて、ノードの受信機構成を調節するプロセスのフロー図を提供するものである。図８に示すプロセスは、図３のステップと、図７のステップとを結合したものである。具体的には、ステップ３０２と同様に、ステップ８０２において信号測定ノードは、所定の測定期間にわたって測定ノードによって行われている、又は行われるべきＵＬ測定の情報を決定する。ステップ３０４と同じく、ステップ８０４において測定ノードは、測定ノードの並行測定を行う能力を決定する。さらに、ステップ３０６と同様に、測定ノードはステップ８０６において、所定の測定期間にわたって行われている、又は行われるべきＵＬ測定が、測定ノードの並行測定を行う能力を超えるか否かを決定する。
【００６１】
ステップ８０８では、信号測定ノードは、ＵＬ測定がノードの並行測定を行う能力を超えるとの決定に応じて、測定ノードの測定リソースを調節する。測定リソースは、ＵＬ測定を行う受信機及びプロセッサ等のハードウェアコンポーネントと、ＵＬ測定に割り当てられる電力を含みうる。測定リソースの調節には、受信機構成、プロセッサ構成、及びＵＬ測定を行うために使用される電力量のうちの少なくとも一つを調節することが含まれうる。ステップ７０２に対して上述したように、受信機構成の調節には、測定ノードのどの受信機を起動させるか、どの種類の受信機を起動させるか、どの受信機のアンテナポートを起動させるか、受信機の測定帯域幅、アンテナ受信方式、使用される搬送方式、又はこれらの任意の組み合わせの調節が含まれうる。プロセッサ構成の調節には、ＵＬ測定に追加のプロセッサリソース（例：追加のプロセッサ、プロセッサ時間、又はプロセッサ電力）を割り当てることが含まれうる。信号測定ノードは、ステップ８１２においてＵＬ測定を行う。
【００６２】
図９は、信号測定ノードが、ＵＬ測定の関する情報を測定管理ノードに通知するステップを示すフロー図を提供するものである。この情報により、管理ノードは、測定ノードに測定期間内のＵＬ測定で過負荷がかかっているか否かを評価することが可能になりうる。このステップは、図９に示すように、プロセス８００の一部として行うことができる、又は独立して行うことができる。
【００６３】
ステップ９０２では、測定ノードは、測定管理ノードに対して、ノードによって行われている、又は行われるべきＵＬ測定の情報を送信する。一実施形態では、この情報は、ノードによって行われているＵＬ測定の総数、及び測定ノードにおいて予定されている、又は要求されているＵＬ測定を含む。例えば、測定ノードは、測定期間にわたってノードがまだ行う必要がある未処理のＵＬ測定をトラッキングするためのカウンタを使用することができる。測定ノードは、ノードにおいて予定されている、又は要求されている各ＵＬ測定に対しカウンタを増加させることができ、要求されたＵＬ測定の内の一つが行われた後で、カウンタを減少させることができる。この例では、測定ノードは、カウンタの値を測定管理ノードへ送信する。一実施形態では、測定ノードは複数のカウンタを有することができ、一つのカウンタは各測定カテゴリに関連している。送信されうる他の情報は、測定されるべきＵＬ信号を送信するＷＣＤの数、ＵＬ信号の周波数帯域又は搬送周波数、ＵＬ信号の搬送波アグリゲーション方式、ＵＬ信号の帯域幅、及びＵＬ信号を送信する無線アクセス技術のうちの一又は複数を含む。
【００６４】
ステップ９０４において、測定ノードは、測定ノードの並行測定を行う能力の情報を測定管理ノードに送信する。一実施形態では、この情報は、測定ノードが測定期間にわたって行うことができるＵＬ測定の最大数、測定期間にわたって測定ノードがＵＬ信号を受信することができるＷＣＤの最大数、及び測定期間にわたって測定ノードによってサポートされる異なる測定種類の最大数のうちの少なくとも一つを含む。一実施形態では、この能力の情報は、測定ノードの受信機構成の情報、又はＵＬ測定を行うために割り当てられた測定ノードのリソースのその他任意の情報を含む。
【００６５】
一実施形態では、送信された測定ノードの能力の情報には、この能力に関する一又は複数の条件が含まれうる。一又は複数の条件は例えば、
測定ノードのリソースが非測定活動にどのように使用されるかに基づき、測定ノードがその能力を適合させることができるという表示、
測定ノードの能力に関する干渉条件の表示
が挙げられる。
【００６６】
一実施形態では、送信ステップ９０４及び９０６のうちの一又は複数は、誘引が必要条件でありうる。一例として、ステップ９０６の能力情報の送信は、測定ノードが修正された（例えば、一又は複数の新たな特徴が加わり性能が向上した）時、又はＵＬ測定に関する一又は複数のパラメータが変化した時に引き起こされうる。
【００６７】
一実施形態では、ステップ９０２又は９０４で送信された情報は、第３のノード、例えば基地局、又は別のネットワークノードによって中継伝達されうる。
【００６８】
ステップ９０６において、測定ノードは、測定管理ノードから測定構成に対する調節を受信する。この調節は、送信された情報に基づいている。この調節を、図１０及び１１に関してさらに詳しく説明する。  一般に、この調節により、測定ノードにおいて要求されている、又は予定されているＵＬ測定が変更される場合があり、これにより、測定ノードの測定負荷が減少しうる。
【００６９】
図１０〜１５は、測定管理ノードの観点から工程を示すフロー図を提供するものである。図３〜９は、測定ノードが測定要件、受信機構成、又はＷＣＤの送信構成を調節することができることを示し、図１０〜１５は、管理ノードも上記調節を行うことができることを示している。図１０〜１５はさらに、管理ノードが測定構成を調節することができることを示している。
【００７０】
ステップ１００２において、測定管理ノードは、所定の測定期間にわたって信号測定ノードによって行われている、又は行われるべきＵＬ測定の情報を決定する。例えば、管理ノードは、測定ノードが所定の測定期間にわたって行っている、又は行うべきＵＬ測定の総数、又は所定の測定期間にわたって行われている、又は行われるべき特定の測定カテゴリのＵＬ測定の数を決定することができる。一実施形態では、この情報の少なくとも一部は測定ノードから受信する。例えば、この情報は、ステップ９０２において測定ノードによって伝達されたカウンタ値を含む。一実施形態では、管理ノード自体が、測定ノードにおいて管理ノードがどのＵＬ測定を要求したか、またこれらのＵＬ測定の内どれが行われ、管理ノードに報告されたかをトラッキングするカウンタを有する。
【００７１】
ステップ１００４において、測定管理ノードは、測定ノードが並行測定を行う能力を決定する。一実施形態では、この情報の少なくとも一部は測定ノードから受信する。一実施形態では、管理ノードは、測定ノードの能力情報を記憶するデータベース（例：Ｏ＆Ｍノード）、又は測定ノードの能力情報を記憶するその他の記憶システムにアクセスすることができる。記憶システムは、複数の測定ノードの能力情報を集計したノードの一部であってよい。能力情報は、図３に関して上に詳しく記載されている。
【００７２】
ステップ１００６において、管理ノードは、ＵＬ測定の情報と、測定ノードの並行測定を行う能力に基づいて、測定構成の調節を決定する。測定構成の調節を、図１１に関して以下にさらに詳しく説明する。
【００７３】
ステップ１００８において、測定管理ノードは、測定構成の調節を測定ノードに送信する。
【００７４】
図１１は、調節ステップ１００６のさらに具体的な例を示すフロー図を提供するものである。ステップ１１０２において、測定管理ノードは、所定の測定期間にわたって測定ノードによって行われている、又は行われるべきＵＬ測定が、測定ノードが並行ＵＬ測定を行う能力を超えるか否かを決定する。
【００７５】
ステップ１１０４では、管理ノードがＵＬ測定がその能力を超えると決定した場合、管理ノードは、ＵＬ測定を延期することによって測定要件を調節することができる、又はＵＬ測定をキャンセルすることによって測定構成を調節することができる。
【００７６】
一実施形態では、要求されていた、又は予定されていたＵＬ測定を延期することには、測定ノードが特定の期間だけ測定ノードの測定報告を送るのを遅らせることができるように、測定期間を延長することを伴いうる。一又は複数のＵＬ測定をキャンセルすることによって、所定の測定期間にわたって測定ノードが行わなければならないＵＬ測定の数が減少する。一実施形態では、一又は複数のキャンセルされたＵＬ測定を、別の測定ノードに分配することができる。測定構成に対する他の調節には、測定パラメータを調節することが含まれる。一実施形態では、パラメータは、一又は複数の測定帯域幅、測定周波数、及び測定されるべき基準信号を含む。
【００７７】
上述したように、ステップ１１０２は、ＵＬ測定が測定ノードの能力を超えたか否かを決定することに言及しているが、別の実施形態では、ＵＬ測定が測定ノードの能力を超える閾値量以内であるか否かを決定してもよく、又はＵＬ測定が能力を閾値量を超えることによって超えたか否かを決定してもよい。
【００７８】
ステップ１１０５では、管理ノードは、測定ノードへの新たなＵＬ測定の受入れを遅延する、又は延期することができる。例えば、測定ノードの能力を超えている（又は他の実施形態では、ほぼ超えている）場合、管理ノードは、測定ノードにおいて新たなＵＬ測定の要求を要求する、又は予定するために今後の測定期間まで待機することができる。
【００７９】
管理ノードが、ＵＬ測定がその能力を超えないことを決定した場合、管理ノードは実際に、ステップ１１０６において、測定ノードによって行われるべき一又は複数の追加のＵＬ測定を選択することができる。一又は複数の追加の測定は、ステップ１００８において要求する、又は予定に入れることができる。
【００８０】
図１２は、測定管理ノードが、測定ノードの受信機構成、又はＷＣＤの送信構成を調節するプロセスを示すフロー図を提供するものである。
【００８１】
ステップ１２０２において、測定管理ノードは、所定の測定期間にわたって測定ノードが行っている、又は行うべきＵＬ測定、及びノードの並行測定を行う能力に基づいて測定ノードの受信機構成の調節を決定する。調節ステップは、ステップ８０８の調節ステップと同様であってよいが、測定ノードではなく管理ノードによって制御される。ステップ１２０４において、管理ノードは測定ノードへ受信機構成の調節を送信する。
【００８２】
ステップ１２０６において、測定管理ノードは、ＷＣＤが測定すべきＵＬ信号をどのように送信するかについての調節を決定する。この調節は、測定ノードのＵＬ測定と、測定ノードの並行測定を行う能力に基づいている。この調節は、ステップ７０４において測定ノードが決定する調節と同様であってよいが、管理ノードによって制御される。ステップ１２０８において、測定管理ノードは、ＷＣＤへ、ＷＣＤの送信の調節を送信する。基地局は、この送信をＷＣＤへ中継伝達することができる。
【００８３】
図１３Ａ〜１３Ｂは、測定ノードの能力に基づく追加のＵＬ位置決め測定、又は新たな位置決定方法の選択を示すフロー図を提供するものである。
【００８４】
両方の図面において、管理ノードは位置決めノードであり、ステップ１３０２において、行われている、又は行われるべきＵＬ測定のうちの一つが、第１の位置決定方法、例えばエンハンスドセルＩＤ（ＥＣＩＤ）法に使用されることを決定する。図１３Ａの例では、管理ノードは次に、ステップ１３０４において、第１の位置決定方法によっても使用される追加のＵＬ測定を選択する。この追加の測定は、測定ノードにおいてすでに行われている、又は要求されているＵＬ測定を補完するものであってよい。一例では、ＥＣＩＤ位置決定方法は、ＢＳ  Ｒｘ−Ｔｘ測定、及びＡｏＡ測定の両方に依存する。管理ノードが、測定ノードがすでに、１０個のＷＣＤに対して、ＢＳ  Ｒｘ−Ｔｘ測定を行っている、あるいは行うように要求されていると決定した場合、管理ノードは残りのＷＣＤに対してＡｏＡ測定を要求する又は予定に入れることができる。測定の種類は異なるが、同じ位置決定方法によって使用されるＵＬ測定を選択することにより、様々な測定ノード間で行われている測定の種類のバランスが取れる。
【００８５】
図１３Ｂの例では、管理ノードは、特にＵＬ測定が測定ノードの能力を超えるとの決定に応じて、第２の位置決定方法を選択する。第２の位置決定方法は、一又は複数のＤＬ測定に依存する。例えば、管理ノードが、各ノードの並行測定を行う能力を超えたために、ＵＬ測定を行う測定ノードが利用できないことを決定した場合、管理ノードはＤＬ測定を使用する位置決定方法を選択することができる。このため、この例では、管理ノードはＵＴＤＯＡ等のＵＬベースの方法をＯＴＤＯＡ等のＤＬベースの方法に切り替えることができる。
【００８６】
図１４は、測定管理ノードによって行われる負荷平衡化を示すフロー図を提供するものである。負荷平衡化は、各測定ノードが所定の測定期間にわたってＵＬ測定を何度行っている、又は行うべきかに基づき、複数の測定ノードに対して行うことができる。
【００８７】
ステップ１４０２において、管理ノードは複数の測定ノード各々の容量を決定する。この容量は、測定ノードの現在の測定負荷と、測定ノードの並行測定を行う能力との差を反映したものである。例えば、この差は、測定期間にわたって測定ノードが行うことができるＵＬ測定の最大数から、この期間にノードが行っている、又は行うべきＵＬ測定の総数を減算することによって計算することができる。この差は、測定ノードの現在の負荷以上に、追加のＵＬ測定がいくつサポートされるかを表しうる。
【００８８】
一実施形態では、管理ノードは、測定ノードの能力、及びさらに具体的には、測定ノードの容量に基づいて、測定ノードのうちから選択することができる。一例として、ステップ１４０４において、管理ノードは、複数の測定ノードのうちから、別のノードの容量よりも大きい容量を有する測定ノードを選択する。一実施形態では、管理ノードは、最大容量を有する測定ノードを選択する。
【００８９】
ステップ１４０６において、負荷平衡化の一部として、測定管理ノードは、追加のＵＬ測定を、複数の測定ノードのうちの別の測定ノードに比べて容量が大きい選択された測定ノードに割り当てる。これにより、一実施形態では、管理ノードはしたがって、複数の測定ノードのうちに要求が均等に平衡化されるようにＵＬ測定要求を分配することができる。
【００９０】
図１５は、ノード展開シナリオに基づき複数の測定ノードのうちにＵＬ測定要求を分配している管理ノードを示すフロー図を提供するものである。ノード展開シナリオは、複数の測定ノードが同じところに位置づけされているか否かを示しうる。図１５の例では、管理ノードは位置決めノードであり、ＵＬ測定はＷＣＤの位置を決定するために使用される。測定ノードが同じところに位置づけされている展開シナリオでは、管理ノードは、測定ノードごとに少ないＵＬ測定要求を要求する、又は予定する場合がある。
【００９１】
ステップ１５０２において、管理ノードは、第１のＵＬ測定要求を第１の信号測定ノードへ送信する。一実施形態では、この要求は、第１のＷＣＤによって送信される第１のＵＬ信号に関連する。例えば、図１を参照すると、測定管理ノード１２０は第１の測定要求を信号測定ノード１１０ａへ送信することができる。この要求は、ＷＣＤ１３０によって送信されるＵＬ信号に関連し、ＷＣＤ１３０の配置を決定するために使用することができる。
【００９２】
ステップ１５０４において、管理ノードは、第２の測定ノードが第１の測定ノードとの近接閾値内にあるか否かを決定する。図１を一例として再び参照すると、管理ノード１２０は、信号測定ノード１１０ｃが信号測定ノード１１０ａとの近接閾値内にあるか（共通の基地局現場に位置づけされているか）否かを決定することができる。この近接性は、第２のＷＣＤ、例えば図１のＷＣＤ１４０からのＵＬ信号の測定に影響する。例えば、測定ノード１１０ａが測定ノード１１０ｃと同じところに位置づけされていない場合、ノード１１０ａはＷＣＤ１３０とＷＣＤ１４０の両方からのＵＬ信号を測定しなければならない。他方では、信号測定ノード１１０ａが測定ノード１１０ｃと同じところに位置づけされている場合、２つのＷＣＤからのＵＬ信号の測定は、ノード１１０ａとノード１１０ｃとで分けることができる。下記のステップは、このＵＬ測定の分配を示したものである。２つのノードが近接閾値内にあるか否かの決定は、ａ）所定の情報（例：配置へのリンクを表すノードのアイデンティティ）、ｂ）ノードのうちの一つからの伝達表示（例：それと同じところに位置づけされた全てのノードを表す）、ｃ）ＷＣＤからの表示（例：ＷＣＤがどのように測定ノードが展開されたかを把握している場合）、ｄ）ネットワークノードからの表示（例：ＯＳＳノード、Ｏ＆Ｍノード、ＳＯＮノード、コアネットワークノード）、及びｅ）ノードのうちの一つが基地局又は他のアクセスポイントに統合されているか否かの表示のうちの一又は複数に基づいている。
【００９３】
ステップ１５０６において、２つの測定ノードが互いに近接閾値内にないとの決定に応じて、測定管理ノードは、第２の測定要求を第１の測定ノードへ送信する。第２の要求は、第２のＷＣＤが送信するＵＬ信号に関連し、第２のＷＣＤの位置を決定するために利用される。ステップ１５０８において、測定管理ノードは、第１の測定ノードからの第２の要求に対応するＵＬ測定値を受信する。
【００９４】
ステップ１５１０において、２つの信号測定ノードが互いに近接閾値内であるとの決定に応じて、管理ノードは第２の測定要求を第２の測定ノードへ送信する。このステップの結果はやはり２つのＵＬ測定要求であるが、測定ノードごとの要求が少なくなる。ステップ１５１２において、管理ノードは、第２の測定ノードからの第２の要求に対応するＵＬ測定値を受信する。
【００９５】
ステップ１５１４において、管理ノードは、第１の測定ノードから第１のＵＬ測定値を受信する。
【００９６】
ステップ１５１６において、測定管理ノードは、第１の要求のＵＬ測定値に基づいて第１のＷＣＤの位置を決定し、第２の要求のＵＬ測定値に基づいて第２のＷＣＤの位置を決定する。
【００９７】
一般に、２つの測定ノードは、共存シナリオにあると言われうる。２つのノードがさらに、互いに近接閾値内にあるように共通現場を共有する場合、これらは同じところに位置づけされていると見なすことができる。あるシナリオでは、２つの同じところに位置づけされた測定ノードはさらに、無線機器を共有しうる。上記シナリオ内の測定ノードとは、同じところに置かれていることを指す。
【００９８】
同じところに位置づけされ、共存するシナリオにおいて、無線通信システムは、ヴィクティム又はアグレッサシステムであってよい。ヴィクティム又はアグレッサシステムは、電気通信ネットワークの無線ノードの全てを、又はサブセットを含むことができ、電気通信ネットワークのＷＣＤの全てを、又はサブセットを含むことができる。
【００９９】
上述したＵＬ測定の説明に加え、さらに詳しいＵＬ測定の態様を以下に記す。
【０１００】
ＵＬ無線信号
以上の記載は、ＵＬ無線信号（「ＵＬ信号」又は「ＵＬ送信」）に行われている測定の説明である。ＵＬ信号は一般に、ＷＣＤによって送信されたすべての無線信号を指す。この送信は、特定のノード専用の送信又は特定のノードに向けた送信（例：ｅＮｏｄｅＢ、ＬＭＵ、別のＷＣＤ、中継装置、リピーター等）であってよく、又は無線デバイスからのマルチキャスト送信、又はブロードキャスト送信であってよい。ある場合には、ＵＬ送信は、ピアツーピア送信であってもよい。送信は、ＷＣＤから来るものであってよく、ＵＬ送信を意図した周波数スペクトル（例：周波数帯域又は搬送周波数）であってよい。
【０１０１】
ＵＬ無線信号の幾つかの例は、ＷＣＤによって送信される基準信号（例：ＵＬにおいて送信されたＳＲＳ信号、又は復調基準信号）、ＷＣＤによって送信された専用、又は共有チャンネル信号（例：データチャンネルの信号、制御信号、ランダムアクセスチャンネル、ブロードキャストチャンネル等）、又は他の物理信号（例：デバイス間の通信のためにＷＣＤによって送信された無線標識信号、又はメッセージ、近隣者発見、又は存在／動作の表示）が挙げられる。一実施形態では、ＵＬ無線信号は、位置決定のために特に構成されている。
【０１０２】
無線信号測定
アップリンク（ＵＬ）、ダウンリンク（ＤＬ）、及び本明細書に記載の他の無線信号測定は、（後にさらに詳しく説明される）無線ノードによって受信した無線信号に行われる。上述したように、上記測定は、様々な目的で行うことができる。ＬＴＥでは、上記測定は、無線リソース管理（ＲＲＭ）、モビリティ管理、位置決定、ＳＯＮの実施、ＭＤＴの実施、又は他の何らかの目的で行うことができる。同じ測定を一つの目的のためだけに行うことができる、又は複数の目的のために行うことができる。
【０１０３】
ある場合には、測定はパターンベースの測定、例えば、特定の時間、及び／又は周波数のパターンにしたがって行われる測定（例：測定ギャップパターン、ＤＬ及び／又はＵＬ測定のタイムドメイン測定リソース制限パターン、搬送波アグリゲーション（ＣＡ）方式内の二次セル（Ｓｃｅｌｌ）の測定用測定サイクルパターンであってよい。この測定は、特定の帯域幅にわたって行うこともできる。例えば、これらの測定は、広帯域基準信号受信品質（ＲＳＲＱ）測定、又はシステムの帯域幅よりも小さい設定測定帯域幅にわたって行われる測定を含みうる。この測定は、搬送波アグリゲーション（ＣＡ）有又は無しで行うことができる。
【０１０４】
ＬＴＥにおいて、測定は、物理層の測定、又は層２の測定、又はこれらの任意の組み合わせ（さらに詳しくはＴＳ３６．２１４及びＴＳ３６．３１４を参照）として分類することができる。測定は、同一周波数測定、異周波数測定、同一ＲＡＴ測定、異ＲＡＴ測定、同一帯域測定、異帯域測定、又はこれらの任意の組み合わせとして分類することもできる。
【０１０５】
ＵＬ測定
上述した「ＵＬ測定」は、一又は複数のＵＬ無線信号に行われる測定を指すものである。一般に、ＵＬ測定は、少なくとも一つのＵＬコンポーネントを伴う測定である。一例として、ＵＬ測定は物理層の測定、及び物理チャンネル受信測定のうちの少なくとも一つを含む。ＵＬ測定には、一又は複数の無線信号サンプルを伴いうる。異なるサンプルは、異なる時間及び／又は周波数リソースに対応しうる。
【０１０６】
ＬＴＥでは、アップリンク送信は同一搬送周波数分割多元接続（ＳＣ−ＦＤＭＡ）と呼ばれる多元接続方式をアップリンクの巡回プレフィックスとともに使用して実施される。このＳＣ−ＦＤＭＡを、ＯＦＤＭＡの特例として見なすことができる。さらに具体的には、このＳＣ−ＦＤＭＡはＤＦＴＳ−ＯＦＤＭと呼ばれる。このＤＬ又はＯＦＤＭＡのその他任意の変形例に使用されるＯＦＤＭＡを、ＬＴＥのＵＬ送信用に定めることもできる。
【０１０７】
一実施形態では、ＵＬ測定はタイミング測定、電力ベース測定、方向測定、又はこれらの任意の組み合わせであってよい。これは任意の目的で行われうる。幾つかのＵＬ測定は少なくとも一つのＵＬコンポーネントを伴い、多種多様なリンクの測定であり、複合測定である。幾つかのさらなる具体例は、アップリンク到達時間差（ＵＬ  ＴＤＯＡ）又は到着時間（ＴＯＡ）測定、アップリンク到来角（ＵＬ  ＡｏＡ）測定、ＷＣＤの受信機−送信機のタイミング差（ＷＣＤ  Ｒｘ−Ｔｘ）測定、測定ノードの受信機−送信機のタイミング差（測定ノードＲｘ−Ｔｘ）測定、ＵＬ受信信号強度、又は品質測定、ＵＬパスロス測定、及び３ＧＰＰ  ＴＳ３６．２１４に記載されるすべての測定のうちの少なくとも一つが挙げられる。少なくとも一つのＵＬコンポーネントを用いた測定には、二以上の無線ノード間の無線リンクを伴う場合があり、例えば３つの無線ノードは、多種多様なリンク又はＴＤＯＡ測定に含まれる場合があり、無線リンクは同じ周波数、同じ搬送波アグリゲーション方式、同じ周波数帯域、又は同じ無線アクセス技術（ＲＡＴ）上であってよく、またなくてもよい。
【０１０８】
一実施形態では、ＵＬ測定は、別のノード又は同じノードの別の層から受信した情報に基づく上位層測定（例：層２（Ｌ２）測定）を含むことができる。上位層測定は、一例として、ノードが受信したデータフローの性能の推定を含みうる。
【０１０９】
測定要件に付随する条件
上述したように、測定要件は、一又は複数の条件を満たす必要がある場合があり、この例は下記：
１．   ＷＣＤのＵＬ位置決め測定に少なくとも特定数のＵＬ送信（例：ＳＲＳ送信の数）が使われている；
２．   ＵＬ測定が行われている間、少なくとも特定数のＷＣＤが追加のＵＬ信号を送信するように構成されている；
３．   測定ノードが、少なくとも特定数の無線デバイスのＵＬ位置決め測定を並行して行う；
４．   無線デバイスによって、最大限でも特定数のＵＬ信号（例：ＳＲＳ送信の数）が送信されない；
５．   送信アンテナごとの最大出力が少なくとも閾値を超えている（例：１７ｄＢｍ／アンテナ）；
６．   （ＷＣＤが一を超えるアンテナを有すると仮定して）ＷＣＤの任意の２つの送信アンテナによって送信されるＵＬ信号間の時間のずれが閾値内（例：００ｎｓ）である；
７．   無線デバイスの任意の２つの送信アンテナによって送信される信号間の送信電力の絶対差が閾値内（例：６ｄＢ）である；
８．   ＷＣＤの複数の送信アンテナが使用される時に送信される信号の位相不連続が閾値内（例：０度）である；
９．   ＵＬ測定が行われている間、送信ノードのＣＡ構成の数のアップデート、又は搬送波起動／停止が全く起きない、又はその数がＮ回を超過しない
のうちの一又は複数を含む。
【０１１０】
測定要件及び付随条件は、ある場合に、ａ）異なる干渉条件に対して異なる；ｂ）異なる帯域幅構成又はＵＬ信号（例：ＳＲＳ）構成に対して異なる；ｃ）ＵＬ測定（例：ＳＲＳ及びＰＵＳＣＨ）を行うために異なるＵＬ信号が使用される時；ｄ）ＷＣＤがＣＡ有で構成されている時、これに対しＣＡ無しで構成されている時；ｅ）測定ノードがＳＣｅｌｌで測定できる時、これに対し、測定ノードがＳＣｅｌｌで測定できない時；ｆ）ＷＣＤがＣＡ有でＣｏＭＰ／マルチフロー送信を用いて構成されている時、これに対し、ＷＣＤがＣＡ無しでＣｏＭＰ／マルチフロー送信を用いて構成されている時；ｇ）測定ノードが、同じＷＣＤのＲ１及びＲ２搬送波に同時に測定を行う時、これに対して、測定ノードが、異なるＷＣＤのＲ１及びＲ２搬送波に同時に測定を行う時（例Ｒ１＝１  及び  Ｒ２＞１）；ｈ）異なるＲＡＴの場合；ｉ）異なる二重モード構成（例：ＦＤＤ及びＴＤＤ、又はＦＤＤ及びＨＤ−ＦＤＤ）の場合、及び／又はｋ）異なる無線デバイスカテゴリの場合に、異なることがある。
【０１１１】
位置決め測定
一実施形態では、ＵＬ測定は位置決め測定である。「位置決めに使用されるＵＬ測定」、「ＵＬの位置決めに使用される測定」、及び「ＵＬ位置決め測定」という用語は、交互に使用することができる。ＵＬ位置決め測定は、測定の唯一の目的、又は部分的な目的のいずれかで、ノードの位置を決定するように構成された任意の無線測定を含むことができる。ＵＬ位置決め測定の幾つかの具体例には、ＵＴＤＯＡ測定、ＵＬ  ＲＴＯＡ測定、ＵＬ  ＴＯＡ測定、ＵＬ  ＴＤＯＡ測定、ＵＬ  ＡｏＡ測定、ＵＬ電力ベース測定（例：ＵＬ受信信号品質又はＵＬ受信信号強度測定）、ＵＬ伝播遅延測定、ＵＬ測定コンポーネントを伴う二方向測定（例：ＲＴＴ、ｅＮｏｄｅＢ  Ｒｘ−Ｔｘ、又はＵＥ  Ｒｘ−Ｔｘ）、又はこれらの任意の組み合わせが挙げられる。
【０１１２】
一実施形態では、ＵＴＤＯＡ測定及びＵＬ  ＲＴＯＡ測定は、サウンディング参照信号（ＳＲＳ）に行われる。ＳＲＳ信号を検出するためには、測定ノードは、受信信号と関連付けられるＳＲＳ配列を生成する任意の数のＳＲＳパラメータを必要とする。ＳＲＳ配列を生成し、ＳＲＳ送信がいつ起こるかを決定するのに使用されるＳＲＳパラメータは、測定管理ノード（例：位置決めノード）からの補助データに提供されうる。ＬＴＥシステムでは、補助データは、ＳＬｍＡＰ等のインターフェースを介して提供されうる。しかしながら、ある場合には、測定管理ノードは上記パラメータを知らない場合がある。上記の場合には、測定管理ノードは、ＷＣＤによって送信されるようにＳＲＳを構成する基地局からこれらのパラメータの情報を得ることができる。ＬＴＥでは、この情報は、ＬＰＰａインターフェースを介して基地局から管理ノード（例：ｅ−ＳＭＬＣ）へ提供することができる。
【０１１３】
ある場合には、ＷＣＤの位置決定、ＷＣＤからのＵＬ信号の複数のＵＬタイミング測定（例：Ｒｘ−Ｔｘ時間差、タイミングアドバンス、又はＲＳＴＤ）では、測定管理ノードは、異なる測定ノードによる各測定を利用して、ＷＣＤの位置を計算することができる。
【０１１４】
ある場合には、各々異なる測定ノードからの複数のモビリティ関連測定（例：ＲＳＲＰ又はＲＳＲＱ）を利用して、測定ＵＬ信号を送信したＷＣＤの位置を三角測量することができる。他のＵＬ位置決め測定、例えばＵＬ信号の到来角（ＡｏＡ）を個別に利用する、又は上記の測定と組み合わせて利用することができる。
【０１１５】
ＲＲＭ及びモビリティ測定
ＬＴＥのＲＲＭ又はモビリティ関連測定の例には、ＵＬ信号の基準信号受信電力（ＲＳＲＰ）又はＵＬ信号の基準信号受信品質（ＲＳＲＱ）の測定が挙げられる。
【０１１６】
ＵＭＴＳのモビリティ関連測定の例には、ＵＬ信号のＵＴＲＡＮ共通パイロットチャンネル（ＣＰＩＣＨ）受信信号コード電力（ＲＳＣＰ）、又はＵＴＲＡＮ  ＣＰＩＣＨ  Ｅｃ／Ｎｏの測定が挙げられる。
【０１１７】
他の無線アクセス技術のモビリティ関連測定の例には、（ＧＳＭシステムの）信号のＧＳＭ搬送波信号受信信号強度インジケータ（ＲＳＳＩ）、又は（ＣＤＭＡ２０００又はＨＲＰＤシステムの）ＵＬ信号のパイロット強度の測定が挙げられる。
【０１１８】
上述したＵＬ測定は、同一ＲＡＴモビリティ測定として行うことができ、この場合、これらの同じＲＡＴに対応しており、あるいは、異ＲＡＴモビリティ測定として行うことができ、この場合、これらは異なるＲＡＴに対応している。
【０１１９】
タイミング測定
タイミング関連測定の例には、信号の往復時間（ＲＴＴ）、到達時間（ＴＯＡ）、アップリンク相対到達時間差（ＵＬ  ＲＴＯＡ）、到達時間差（ＴＤＯＡ）、基準信号時間差（ＲＳＴＤ）、ＷＣＤ受信機−送信機（Ｒｘ−Ｔｘ）時間差、基地局Ｒｘ−Ｔｘ時間差、ＳＦＮ−ＳＦＮタイミング、一方向伝播遅延、又はタイムアドバンスの測定が挙げられる。
【０１２０】
並行測定
上述したように、「並行測定」という用語は一般に、所定の測定期間にわたって行われている、又は行われるべき複数の測定を指すものである。この測定は、無線測定、無線チャンネル受信、及び他の層（例：層２）の測定のうちの一又は複数を含むことができる。この測定の任意の組み合わせを、並行測定と呼ぶことができる。
【０１２１】
ある場合には、複数の測定を同じ無線信号に行うことができるが、異なる目的で行うことが可能である。例えば、一方の測定には無線信号の第１の計算を含むことができ、他方の測定には、無線信号の異なる計算を含むことができる。
【０１２２】
並行ＵＬ測定の例を下に挙げる。実施例は、例示のみの目的で提供されており、限定を意図したものではない。
【０１２３】
実施例１：同じＷＣＤによって送信されたＵＬ無線信号に、２以上のＵＬ測定が行われ、この測定では、
ｉ．  ＵＬ測定によって使用されるＵＬ無線信号は、同じ一連のＵＬ信号であってよく、又は異なる一連のＵＬ信号であってよい、及び／又は、
ｉｉ．  ＵＬ無線信号は、同時に、及び／又は同じ周波数リソースで、又は異なる時に、及び／又は異なる周波数リソースで送信及び／又は測定することができる。２つの一連の信号又はリソースは、信号とリソースがある程度重なっていたとしても異なっている場合がある。
【０１２４】
実施例２：異なるＷＣＤによって送信されたＵＬ無線信号に、２以上のＵＬ測定が行われ、この測定では、
ｉｉｉ．  異なるＷＣＤは、同じサービング基地局（例：ＬＴＥのｅＮｏｄｅＢ）によってサービングされ、  
ｉｖ．  異なるＷＣＤは、異なる基地局によってサービングされ、及び／又は、
ｖ．  異なるＷＣＤの送信では、同じ又は異なる（すなわち部分的に重なっている、又は全く重なっていない）時間及び／又は周波数リソースを利用しうる。
【０１２５】
実施例３：異なる種類のＵＬ信号に２以上のＵＬ測定、
ｖｉ．  ＳＲＳ信号の測定、及び復調基準信号の別の測定
等が行われた。
【０１２６】
実施例４：２以上のＵＬ測定は同じ種類のＵＬ測定であり、２以上の測定に対して異なる少なくとも一つのパラメータで構成されている。
ｖｉｉ．  異なるパラメータは、異なるＵＬ無線信号配列、又は配列を生じる異なる値（例：異なる物理層セルアイデンティティ（ＰＣＩ）又は疑似乱数等）、異なる構成指標、異なる時間及び／又は周波数リソース、異なる帯域幅、異なる送信周期、異なる測定時間、又はこれらの任意の組み合わせを含む。２以上のＵＬ測定の幾つかの例は、異なる報告周期及び／又は異なる測定帯域幅を有する２つの基地局（ＢＳ）Ｒｘ−Ｔｘ時間差測定を含む。
【０１２７】
実施例５：例えば、下記等の異なる測定種類の２以上のＵＬ測定、
ｖｉｉｉ．  ＢＳ  Ｒｘ−Ｔｘ時間差測定、及びタイミングアドバンス（ＴＡ）測定、ＵＬ  ＲＴＯＡ測定、ＡｏＡ測定、ライズオーバーサーマル（ＲｏＴ）測定、又は受信干渉電力（ＲＩＰ）測定等。
【０１２８】
実施例６：  同じ周波数、同じコンポーネント搬送波（ＣＣ）、同じＲＡＴ、又は同じ周波数帯域を有する２以上のＵＬ測定
【０１２９】
実施例７：  周波数、ＣＣ、ＲＡＴ、及び周波数帯域のうちの少なくとも一つが異なる２以上のＵＬ測定
【０１３０】
実施例８：  同じ受信アンテナ又は同じ受信アンテナポートで受信した無線信号に行われた２以上のＵＬ測定
【０１３１】
実施例９：  測定帯域幅、期間、及び／又は基準信号（例：ＳＲＳ又はＤＭＲＳ）のうちの少なくとも一つが第１の測定構成に定められている一方の測定、及び異なる測定帯域幅、期間、及び／又は基準信号が第２の測定構成に定められている他方の測定等の異なる測定要求、又は測定構成に関連する２以上のＵＬ測定
【０１３２】
実施例１０：  異なるサービス、又は内部機能（異なるロケーションベースシステム（ＬＢＳ）；位置決めサービス対音声電話サービス；位置決めサービス対同期サービス、後者は内部測定ノードの機能である；位置決め測定；及びモビリティ測定対一般ＲＲＭ測定）に関連する２以上のＵＬ測定
【０１３３】
実施例１１：  同じ層又は異なる層に関連する２以上のＵＬ測定（例：物理層のみの測定及び一つの層２の測定）
【０１３４】
実施例１２：  異なる種類の搬送波アグリゲーション（ＣＡ）を有する２以上のＵＬ測定ＣＡの種類には、同一帯域近接ＣＡ、同一帯域非近接ＣＡ、同一帯域ＣＡ、異ＲＡＴ  ＣＡ、又はこれらの任意の組み合わせが含まれる。
【０１３５】
実施例１３：  ＵＬ並行測定を行うことができる異なる種類のサポートされたＣＡに関連する２以上のＵＬ測定例えば、ＵＬ測定は、ＣＡ方式で使用されるＣＣの数、ＣＣの帯域幅、ＣＣの帯域又は周波数の組み合わせ、又はこれらの任意の組み合わせが異なる場合がある。
【０１３６】
実施例１４：  不連続受信（ＤＲＸ）モードで行われる測定、及び非ＤＲＸモードで行われる別の測定、又はいずれもＤＲＸモードで行われるが他の異なる構成（例：周期性）を有する２つの測定等の異なる受信機活動状態に関連する２以上のＵＬ測定
【０１３７】
実施例１５：  二次サービングセル（ＳＣｅｌｌ）の異なる活動状態に関連する２以上のＵＬ測定ＳＣｅｌｌが起動された場合、ＷＣＤによって送信されたＵＬ信号がより頻繁にＵＬ測定に利用することができるため、測定期間においてさらに多くの並行測定を行うことができる。
【０１３８】
実施例１６：  特定の受信機ＲＦ構成に関する２以上のＵＬ測定
【０１３９】
実施例１７：  同じ又は異なるアップリンクアンテナ方式に関連する２以上のＵＬ測定この方式は例えば、同一送信アンテナ方式、多重送信アンテナ方式、ＵＬアンテナの数、ＵＬ送信ダイバーシティ、ＵＬ  ＭＩＭＯ（空間ダイバーシティ、ビーム形成等）、開ループＴｘダイバーシティ、閉ループ送信ダイバーシティ、又はこれらの任意の組み合わせを規定する。
【０１４０】
実施例１８：  位置決めのために行われる２以上のＵＬ並行測定（例：ＢＳ  Ｒｘ−Ｔｘ時間差測定、ＴＡ測定、ＡｏＡ測定等）
【０１４１】
実施例１９：  干渉軽減のために行われる２以上のＵＬ並行測定（例：ＳＩＮＲ測定、ＲＩＰ測定、ＲｏＴ測定等）
【０１４２】
実施例２０：  流入制御又はモビリティのために行われる２以上のＵＬ並行測定（例：ＵＬリソースのブロック単位での使用の測定、転送ネットワーク負荷測定等）
【０１４３】
実施例２１：  非位置決めの目的で行われる２以上のＵＬ並行測定（例：ＳＩＮＲ、ＲＩＰ、ＲｏＴ、一方向伝播遅延測定等）
【０１４４】
ＷＣＤ要件テスト
一実施形態では、測定要件を確実に順守するためにテストを行うことができる。ＤＬ測定との関連では、異なる種類のＷＣＤ及び測定要件を規定することができる。ＷＣＤがこれらの要件を満たすようにするために、適切で関連のあるテストケースが規定されている。通常テスト中、テスト用のデバイスはすべてのダウンリンク無線リソースを通常必要としない。実際の状況では、セルの異なるリソースにおいていくつかのデバイスが同時に送信を受け取る。テストをできる限り実際的なものにするために、これらの残りのチャンネル又は無線リソースを、セルの他のユーザデバイスへの送信を模倣するようなやり方で送信すべきである。
【０１４５】
ＷＣＤの性能検証（例：ＵＥ性能テスト）の目的は、既定のシナリオ、条件、及びチャンネル環境においてＷＣＤが望ましい性能要件を満たすことを検証することである。望ましい性能要件は、標準に規定される、又はオペレータによって、又は任意の見込み顧客によって要求される要件を指すものである。性能要件は、ＷＣＤ要件の非常に広い範囲に及び、下記例を含む。
１０． ＷＣＤ  ＲＦ受信機要件（例：ＷＣＤ受信機の感度）
１１． ＷＣＤ  ＲＦ  送信機要件（例：ＷＣＤ送信電力の精度）
１２． ＷＣＤ  復調要件（例：到達可能なスループット）
１３． 無線ノードＲＦ受信機要件（例：遅延のため）
無線ノードＲＦ送信機要件（例：遅延のため）
１４． 無線リソース管理要件（例：ハンドオーバ遅延）
一実施形態では、ＷＣＤの検証は２つのカテゴリ：ａ）研究室での検証、及びｂ）実際のネットワークにおける検証に分類できる。
【０１４６】
研究室での検証
研究室でＷＣＤを検証するにあたって、テスト機器（例：システムシミュレータ）によって基地局を模倣した。このため、テスト用ＷＣＤへのすべてのダウンリンク送信は、テスト機器によって行われた。テスト中、テスト機器は、すべての共通及び他に必要なＷＣＤ固有の制御チャンネルを介して送信することができる。加えて、必要なデータを送りＷＣＤを構成するために、データチャンネル（例：Ｅ−ＵＴＲＡＮのＰＤＳＣＨ）も必要とされうる。さらに、通常は一度に単一のＷＣＤがテストされた。最も典型的なテストケースでは、そのＷＣＤは利用可能なダウンリンクリソースをすべて使用しない。しかしながら、テストを実際的なものにするために、残りのダウンリンクリソースを、一又は複数の仮想のユーザデバイスにも送るべきである。
【０１４７】
ＯＦＤＭＡシステムでは、送信リソースは、ある送信電力レベルで送られるリソースブロックと呼ばれる時間−周波数リソースを含む。ＯＦＤＭＡに負荷を生じさせるこの種のリソースの割り当ては、ＯＦＤＭチャンネルノイズ発生（ＯＣＮＧ）と呼ばれる。ＯＣＮＧは、セルに負荷をかけるために、複数の仮想のユーザデバイスに適用することができる。
【０１４８】
実際のネットワークにおける検証
下記のテストは、実際のネットワークにおける検証を行いたいと思っているオペレータによって所望されうる。このテストは、単一のＷＣＤ又は複数のＷＣＤに適用できる。ネットワークロールアウト前、又は展開の早期段階において、トラフィック負荷は通常非常に低い。従来のテストでは、セルの負荷は、一又は複数の共通チャンネルの送信電力を増加させることによって生じる。しかしながら、オペレータは現在、ネットワークベンダに、テストを行うために実際的なやり方でセルの負荷を生じさせるように要求し始めている。これはつまり、テスト用ユーザデバイスに割り当てられないリソースを、仮想のユーザデバイスに割り当てて、セルの負荷を模倣すべきであることを意味する。したがって、利用可能なリソース（例：チャンネル、送信電力等）のすべて、又は大部分がテストで使用される。これには、基地局が、負荷を生じさせるために残りのリソースを送信する能力を実行する必要がある。ＯＦＤＭＡ（例：Ｅ−ＵＴＲＡＮのＯＦＤＭＡ等）においては、ＯＣＮＧは実際の基地局で実行されるものと見なされる。
【０１４９】
ＷＣＤ性能検証のためのＷＣＤＭＡにおけるノイズ発生
ＷＣＤＭＡでは、テストにおいてセルに負荷をかけるために直交チャンネルノイズシミュレータ（ＯＣＮＳ）が使用される。ＯＣＮＳは、テスト機器と基地局の両方で実行することができる。前者では、これは各種のテストに対してＴＳ２５．１０１及びＴＳ２５．１３３が標準化されている、又はこれは類似のテストに対して同じである。ＯＣＮＳは、チャネライゼーションコード及び相対電力を含む。ＣＤＭＡシステムでは、コードツリーにおけるチャネライゼーションコードの位置は、同一セル干渉の影響を受ける。したがって、ＯＣＮＳのコード、及びＯＣＮＳの電力レベルをより注意深く選択することが必要である。ＷＣＤ復調テストについて、ＴＳ２５．１０１からのＯＣＮＳの例を下に挙げる。
【０１５０】
0005948505.tif 000002
【０１５１】
並行ＵＬ測定テストのための干渉発生
上述した一般のテストに加えて、測定ノードが、認定された並行測定を行う能力を満たすことができるかを検証するテストを行うことができる。このテストはさらに、測定ノードが並行して同じＷＣＤ又は異なるＷＣＤからのＵＬ信号のＵＬ測定を行うことが出来るか否かをさらに具体的に検証することができる。
【０１５２】
図１６は、テスト機器が、測定されるべきＵＬ信号を送信しているＷＣＤを模倣するテストプロセスを示すフロー図を提供するものである。一実施形態では、複数のＷＣＤからの送信を模倣するために、一又は複数の送信信号パターン、さらに具体的にはＵＬ干渉及びノイズが存在する環境が生成される。これにより、テストはより実際的な無線条件で行うことができる。このパターンを研究室で使用して、測定ノードの並行ＵＬ測定を行う能力を検証することができる、又はこのパターンを現場で使用して、測定ノードの前記能力を検証することができる。
【０１５３】
ステップ１６０２では、テスト機器は、模倣されるＷＣＤに対応するＵＬ信号を送信する。一例では、特定のＵＬリソース（例：ＵＬ  ＲＢ、ＵＬリソース要素、ＵＬ搬送波又は帯域等）が、測定ノードが並行してＵＬ測定を行うＷＣＤを模倣するために割り当てられる。
【０１５４】
ステップ１６０４では、テスト機器は、追加の模倣されるＷＣＤに対応する追加のＵＬ信号を送信する。例えば、ステップ１６０２で割り当てられなかった残りのＵＬリソースが、予め設定されたフォーマットで送信されるべきＵＬ信号のパターンの形態で仮想のＷＣＤに割り当てられる。予め設定されたフォーマットの例には、特定の予め設定された変調及びコーディング方式（例：ＱＰＳＫ、コードレート１／３の畳み込みコード等）が挙げられる。仮想のＷＣＤは、割り当てられたリソースを介してデータを伝送することができる。このデータは、ランダム又は疑似ランダム配列を含むことができる。仮想のＷＣＤは、特定の予め設定された電力レベル（例：最大出力）で、特定のＵＬアンテナ方式（例：測定ノードが複数のＴｘアンテナから送信された信号の並行ＵＬ測定をサポートする場合、常に１Ｔｘ又はＴｘ）で送信することもできる。トランスポートフォーマット、ランダム配列、送信電力レベル、アンテナモード又は方式等は、検証されるべき並行ＵＬ測定の種類に依存しうる。
【０１５５】
一実施形態では、仮想のＷＣＤは、アップリンクにおいてサイクリックプレフィックスを有するＳＣ−ＦＤＭＡを使用して送信することができる。一実施形態では、仮想のＷＣＤは、任意のその他別の種類のＯＦＭＡ又はＯＦＤＭＡを使用して送信することができる。送信されたパターンは、例えばＳＣＮＧ（ＳＣ−ＦＤＭＡノイズジェネレータ）と呼ぶことができる。
【０１５６】
一実施形態では、仮想のＷＣＤは、同じ種類の、又は異なる種類のＵＬ物理基準信号を送信することができる。物理基準信号の例は、ＳＲＳ又はＵＬ復調基準信号である。この信号は、特定のＣ−ＲＮＴＩ、ＰＣＩ、時間及び／又は周波数リソース、送信周期性、電力レベル（ＰＵＳＣＨ、又はＰＵＣＣＨに使用されるものと同じであってよい、又は異なっていて良い）、ＳＲＳサイクリックシフト、ＳＲＳ構成インデックス、二重構成、ＣＰ構成、周波数ホッピング起動状態、ＵＥ固有のＳＲＳ帯域幅、セル固有のＳＲＳ帯域幅、受信アンテナポートの送信回数、及び／又は受信回数、グループホッピングパターン、ＳＲＳ配列ホッピング、又はこれらの任意の組み合わせのうちの任意の一又は複数に関連しうる。
【０１５７】
ある場合には、ＵＬ干渉をシミュレーションするために発生させる物理基準信号はセル固有のものであってよく、測定されるＷＣＤの物理基準送信構成はＷＣＤ固有のものであってよい。
【０１５８】
一実施形態では、生成された干渉パターンに関連する一又は複数の送信は、特定の基準チャンネル構成に関連しうる。基準チャンネルは、並行ＵＬ測定の構成あり、又はなしで測定ノードの性能を評価する目的で規定することができる。
【０１５９】
一実施形態では、テストは、測定固有及び／又は能力依存のものであってよい。ある測定ノードに対し、テスト機器は、測定ノードから測定結果を受信して、受信した結果を分析するように構成することができる。受信した結果の分析には、例えば、テストで取得した測定結果、又は測定結果の統計（例：信頼性９０％）を、基準の結果と比較して、測定ノードが性能要件に準拠したものであるか否かを決定することを含みうる。
【０１６０】
無線ノード
上述したように、信号測定ノードは、無線信号の測定を行う無線ノードであってよい。無線ノードとは、無線信号を送信及び／又は受信する能力を有するデバイスを指している。一実施形態では、無線ノードは、少なくとも送信アンテナ又は受信アンテナを含む。無線ノードは、ＷＣＤ及び基地局の両方、及び中継装置、可動中継装置、遠隔無線ユニット（ＲＲＵ）、遠隔無線ヘッド（ＲＲＨ）、センサ、ビーコンデバイス、測定ユニット（例：ＬＭＵ）、ユーザ端末、ＰＤＡ、携帯電話、スマートフォン、ノート型パソコンを含むことができる。
【０１６１】
無線ネットワークノード
ある場合には、ＷＣＤ及び信号測定ノードのうちの少なくとも一つが無線ネットワークノードであってよい。無線ネットワークノードは、無線通信ネットワークにおける無線ノードであり、通常、それ自体の又は関連のネットワークアドレスによって特徴づけられる。例えば、セルラーネットワークの可動機器にはネットワークアドレスがない場合があるが、アドホックネットワーク関連の無線デバイスにはネットワークアドレスがありうる。無線ネットワークノードは、一又は複数の周波数における無線信号の処理、無線信号の受信、及び／又は無線信号の送信が可能でありうる。無線ネットワークノードは、同一無線方式（ｓｉｎｇｌｅ−ＲＡＴ）、複数無線方式（ｍｕｌｔｉ−ＲＡＴ）、又は多重（ｍｕｌｔｉ−ｓｔａｎｄａｒｄ）モード（例：ＷｉＦｉＴＭ、ＬＴＥ、ＨＳＰＡ、及びＬＴＥ／ＬＴＥ−Ａのうちの少なくとも一つで操作される）で操作可能である。
【０１６２】
無線ネットワークノードの幾つかの特定例には、ＮｏｄｅＢ、ｅＮｏｄｅＢ、ＲＲＨ、ＲＲＵ、及び送信専用／受信専用ノードのうちの少なくとも一つが含まれうる。無線ネットワークノードは、それ自体のセルを作成する場合がある、又は作成しない場合がある。無線ネットワークノードは、セルを作成している可能性のある別の無線ノードとセルを共有する場合がある。一を超えるセルが無線ノードに関連する場合がある。一実施形態では、無線ネットワークノードは、送信機、又は送信アンテナ、及び受信機又は受信アンテナのうちの少なくとも一つを有する。ある場合には、アンテナは同一箇所に配置されない。無線ネットワークは、搬送波アグリゲーション方式の一部として、一又は複数のサービングセルを有するように構成することができる。例えば、無線ネットワークノードがＷＣＤである場合、無線ネットワークノードには、搬送波アグリゲーション方式の一次セル（Ｐｃｅｌｌ）、及び二次セル（Ｓｃｅｌｌ）を設けることができる。
【０１６３】
ネットワークノード
ある場合には、測定管理ノードはネットワークノードでありうる。ネットワークノードは、いかなる無線ネットワークノードであってよく、又はＬＴＥ、又はＵＭＴＳにあってよく、コアネットワークノードであってよい。ネットワークノードのある非限定的な例には、ｅＮｏｄｅＢ、ＲＮＣ、位置決めノード、ＭＭＥ、ＰＳＡＰ、ＳＯＮノード、ＭＤＴノード、調整ノード、及びＯ＆Ｍノードのうちの一又は複数が挙げられる。
【０１６４】
位置決めノード
上述したように、測定管理ノードは位置決めノードであってよい。位置決めノードは、位置決め又は配置決定機能を有するノードである。ＬＴＥでは、例えば、位置決めノードは、ユーザプレーンの位置決めプラットフォーム（例：ＬＴＥのＳＬＰ）、又は制御プレーンの位置決めプラットフォーム（ＬＴＥのｅ−ＳＭＬＣ）であってよい。ＳＬＰはさらに、ＳＵＰＬ配置センタ（ＳＬＣ）及びＳＵＰＬ位置決めセンタ（ＳＰＣ）機能を含みうる。ＳＰＣは、ｅ−ＳＭＬＣとの独自のインターフェースを有する場合がある。一実施形態では、位置決め機能は、２以上のノードの間で分けることもできる。例えば、ＬＭＵ及びｅ−ＳＭＬＣへのゲートウェイノードがある場合があり、ゲートウェイノードは、無線基地局等のネットワークノードであってよい。実施例の位置決めノードはｅ−ＳＭＬＣであると言える。テスト環境において、位置決めノードは、テスト機器によって模倣することが可能である。
【０１６５】
例示の測定管理ノード
図１７は、一部の実施形態に従って構成されている測定管理ノード１２０のブロック図である。図１７に示すように、測定管理ノード１２０は、データ処理システム１７０２であって、一又は複数のプロセッサ（例：マイクロプロセッサ）及び／又は一又は複数の回路、例えば特定用途向け集積回路（ＡＳＩＣ）、フィールドプログラマブルゲートアレイ（ＦＰＧＡ）等を含むことができるデータ処理システム１７０２と、別の装置とメッセージを送受信するための送受信機１７０５と、固定データ記憶装置（例：ハードドライブ、フラッシュメモリ、光学ディスク等）及び／又は揮発性記憶装置（例：動的ランダムアクセスメモリ（ＤＲＡＭ））等の一又は複数のコンピュータ可読データ記憶媒体を含みうるデータ記憶システム１７０６とを含むことができる。データ処理システム１７０２がプロセッサ（例：マイクロプロセッサ）を含む実施形態では、コンピュータプログラム製品１７３３を提供することができ、このコンピュータプログラム製品は、例えば限定しないが、磁気媒体（例：ハードディスク）、光学媒体（例：ＤＶＤ）、メモリデバイス（例：ランダムアクセスメモリ）等のデータ記憶システム１７０６のコンピュータ可読媒体１７４２に記憶されたコンピュータプログラムを実行するコンピュータ可読プログラムコード１７４３（例：命令）を含む。ある実施形態では、コンピュータ可読プログラムコード１７４３は、データ処理システム１７０２が実行されると、コード１７４３によりデータ処理システム１７０２が本明細書に記載されたステップを行うように構成されている。ある実施形態では、測定管理ノード１２０は、コード１７４３を必要とせずに上述したステップを行うように構成することができる。例えば、データ処理システム１７０２は、例えば一又は複数の特定用途向け集積回路（ＡＳＩＣ）等の特殊化したハードウェアのみで構成することができる。したがって、上述した本発明の特徴をハードウェア及び／又はソフトウェアで実行することができる。
【０１６６】
調整ノード
本明細書で使用される「調整ノード」という用語は例えば、ネットワークノードを含む。調整ノードは、一又は複数の無線ノードの無線リソースを調整する。調整ノードのある例は、ネットワーク監視及び構成ノード、ＯＳＳノード、Ｏ＆Ｍノード、ＭＤＴノード、ＳＯＮノード、位置決めノード、ＭＭＥノード、ゲートウェイノード（例パケットデータネットワークゲートウェイ（Ｐ−ＧＷ）又はサービングゲートウェイ（Ｓ−ＧＷ）ネットワークノード）、フェムトゲートウェイノード、それ自体に関連する小さい無線ノードを調整するマクロノード、他のｅＮｏｄｅＢとリソースを調整するｅＮｏｄｅＢ、又はこれらの任意の組み合わせである。
【０１６７】
信号測定ノード
上述した信号測定ノードは例えば、基地局内に統合された配置測定ユニット（ＬＭＵ）（例：ＮＢ又はｅＮＢに統合されたＬＭＵ）、信号処理ハードウェアを有するが、基地局とアンテナを共有する単独型のＬＭＵ，又はそれ自体の信号処理ハードウェアとアンテナを有する単独型のＬＭＵを含む。一実施形態では、異なる測定ノードは、測定ノードの測定能力、例えば、同じ時間ウィンドウで複数の信号を受信する測定ノードの能力、又は測定ノードの信号処理能力の観点から実質的に違う場合がある。しかしながら、測定ノードの現在の使用では、測定ノード間の能力の限界の相違は考慮されず、測定ノードは、任意の数のＵＬ信号、任意の数のＷＣＤに対して、任意の周波数範囲、又は任意の数の周波数帯域にわたって、及びすべての無線アクセス技術（ＲＡＴ）にわたって複数のＵＬ測定を行う能力を有すると仮定する。上記広範囲のシナリオをカバーできる測定ノードの実行には、高い複雑性が要求され、また費用が高くつく。上述した実施形態はしたがって、測定能力の並行測定を行う能力の決定、及びある実施形態では、その能力に基づいて調節を行うことを取り組むものである。
【０１６８】
測定ノードがＵＬ測定の実行及びＤＬ測定の促進の両方を行う場合には、ノードのＤＬ並行測定能力と、ノードのＵＬ並行測定能力が常に付加されるわけではない。例えば、測定ノードは、並行ＤＬ測定のみ第１の最大数をサポートするように構成し、並行ＵＬ測定のみ第２の最大数をサポートするように構成することができ、測定ノードが並行して行うことができるＤＬ及びＵＬ測定両方の最大数は、第１の最大数及び第２の最大数の合計よりも小さい場合がある。
【０１６９】
測定ノードが、それ自体の測定能力を満たすためにそれ自体の受信機構成に適応するように構成された場合、測定ノードはこの適応を例えば、ａ）ＤＬ＋ＵＬ能力、及びＵＬ能力を満たすためにＤＬ測定にのみ適用する、ｂ）ＤＬ＋ＵＬ能力及びＤＬ能力を満たすためにＵＬ測定にのみ適用する、又はｃ）ＤＬ＋ＵＬ能力を満たすためにＤＬ及びＵＬ能力の両方に適用することができる。
【０１７０】
例示の信号測定ノード
図１８Ａ及び１８Ｂは、信号測定ノード１１０ａ及び１１０ｂをそれぞれ示すブロック図である。図１８Ａに示す信号測定ノード１１０ａは、ＵＬ信号を受信するための無線機器を有し、図１８Ｂに示す信号測定ノード１１０ｂは、それ自体の無線機器を有さず、その代わりに無線アクセスネットワーク（ＲＡＮ）インターフェースを介して、別のデバイスの無線機器によって受信されたＵＬ信号を受信する。図１８Ａに示すように、信号測定ノード１１０ａは、一又は複数のプロセッサ（例：マイクロプロセッサ）及び／又は特定用途向け集積回路（ＡＳＩＣ）、フィールドプログラマブルゲートアレイ（ＦＰＧＡ）等の一又は複数の回路を含むことができるデータ処理システム１８０２と、別の装置から／へメッセージを送受信するためのアンテナ１８０５Ａと、固定データ記憶装置（例：ハードドライブ、フラッシュメモリ、光学ディスク等）及び／又は揮発性記憶装置（例：動的ランダムアクセスメモリ（ＤＲＡＭ））等の一又は複数のコンピュータ可読データ記憶媒体を含むことができるデータ記憶システム１８０６とを含むことができる。データ処理システム１８０２がプロセッサ（例：マイクロプロセッサ）を含む実施形態では、コンピュータプログラム製品１８３３を提供することができ、このコンピュータプログラム製品は、例えば限定しないが、磁気媒体（例：ハードディスク）、光学媒体（例：ＤＶＤ）、メモリデバイス（例：ランダムアクセスメモリ）等のデータ記憶システム１８０６のコンピュータ可読媒体１８４２に記憶されたコンピュータプログラムを実行するコンピュータ可読プログラムコード１８４３（例：命令）を含む。ある実施形態では、コンピュータ可読プログラムコード１８４３は、データ処理システム１８０２が実行されると、コード１８４３によりデータ処理システム１８０２が本明細書に記載されたステップを行うように構成されている。ある実施形態では、信号測定ノード１１０ａは、コード１８４３を必要とせずに上述したステップを行うように構成することができる。例えば、データ処理システム１８０２は、例えば一又は複数の特定用途向け集積回路（ＡＳＩＣ）等の特殊化したハードウェアのみで構成することができる。したがって、上述した本発明の特徴をハードウェア及び／又はソフトウェアで実行することができる。
【０１７１】
図１８Ｂに示すように、信号測定ノード１１０ｂは、信号測定ノード１１０ａの要素と同様の要素を含むことができる。しかしながら、信号測定ノード１１０ｂはアンテナを有さず、その代わりに、無線アクセスネットワーク（ＲＡＮ）インターフェース１８０５Ｂを有する。一実施形態では、ＲＡＮインターフェースは、基地局と連結することができ、基地局が受信したＵＬ信号を受信することができる。
【０１７２】
無線通信デバイス（ＷＣＤ）
一般に、無線通信デバイス（ＷＣＤ）は、無線インターフェースが配設され、少なくとも無線信号を生成し、無線ネットワークノードへ無線信号を送信することができるすべてのデバイスを含むことができる。ある無線ネットワークノード、例えば中継装置、ＬＭＵ，又はフェムトＢＳ（ホームＢＳとしても知られる）でさえも、ＷＣＤと同様のインターフェースが配設されている場合があることを覚えておきたい。ＬＴＥ及びＵＭＴＳでは、ＷＣＤはユーザ機器（ＵＥ）を含む。ＵＥは、ＰＤＡ、ノート型パソコン、可動デバイス、スマートフォン、センサ、固定中継装置、可動中継装置、ＵＥと同様のインターフェースが配設されているすべての無線ネットワークノード（例：小型ＲＢＳ、ｅＮｏｄｅＢ、フェムトＢＳ）、又はこれらの任意の組み合わせを含む。
【０１７３】
例示のＷＣＤ
図１９は、例示のＷＣＤ１３０を示すブロック図である。図１１に示すように、ＷＣＤ１３０は、一又は複数のプロセッサ（Ｐ）１９５５（例：マイクロプロセッサ）及び／又は、例えば特定用途向け集積回路（ＡＳＩＣ）、フィールドプログラマブルゲートアレイ（ＦＰＧＡ）等の一又は複数の回路を含むことができるデータ処理システム（ＤＰＳ）１９０２と、様々なアクセスポイントにおいてメッセージを送受信するためにアンテナ１９２２に接続された送受信機１９０５と、例えば固定記憶ユニット（例：ハードドライブ、フラッシュメモリ、光学ディスク等）及び／又は揮発性記憶装置（例：動的ランダムアクセスメモリ（ＤＲＡＭ））等の一又は複数のコンピュータ可読データ記憶媒体を含むことができるデータ記憶媒体１９０６とを含む。
【０１７４】
データ処理システム１９０２がプロセッサ１９５５（例：マイクロプロセッサ）を含む実施形態では、コンピュータプログラム製品１９３３を提供することができ、このコンピュータプログラム製品は、例えば限定しないが、磁気媒体（例：ハードディスク）、光学媒体（例：ＤＶＤ）、メモリデバイス（例：ランダムアクセスメモリ）等のデータ記憶システム１９０６のコンピュータ可読媒体１９４２に記憶されたコンピュータプログラムを実行するコンピュータ可読プログラムコード１９４３（例：命令）を含む。ある実施形態では、コンピュータ可読プログラムコード１９４３は、データ処理システム１９０２が実行されると、コード１９４３によりデータ処理システム１９０２が本明細書に記載されたステップを行うように構成されている。
【０１７５】
ある実施形態では、ＷＣＤ１３０は、コード１９４３を必要とせずに上述したステップを行うように構成される。例えば、データ処理システム１９０２は、例えば一又は複数の特定用途向け集積回路（ＡＳＩＣ）等の特殊化したハードウェアのみで構成することができる。したがって、上述した本発明の特徴をハードウェア及び／又はソフトウェアで実行することができる。例えば、ある実施形態では、上述したＵＥ１３０の機能性コンポーネントを、いかなるコンピュータプログラムコード１９４３とも無関係に動作するデータ処理システム１９０２によって、又はハードウェア及び／又はソフトウェアの任意の適切な組み合わせによってプログラムコード１９４３を実行するデータ処理システム１９０２によって実行することができる。
【０１７６】
第２の実施形態では、ＷＣＤ１３０はさらに、  １）データ処理システム１９０２が、ＵＥ１３０のユーザに情報を表示することを可能にするデータ処理システム１９０２に結合されたディスプレイスクリーン１９２３；２）データ処理システム１９０２がＵＥ１３０のユーザに音声を出力することを可能にするデータ処理システム１９０２に結合されたスピーカ１９２４；及び３）データ処理システム１９０２がユーザから音声を受信することを可能にするデータ処理システム１９０２に結合されたマイクロホン１９２５を含む。
【０１７７】
応用形態
下記の項は、ＵＬ測定の性能を利用することができる幾つかの応用形態を示すものである。
【０１７８】
位置決め
ＷＣＤの位置情報を使用するロケーションベース又はロケーション認識サービスで、上述したＵＬ測定を利用することができる。上記サービスには、買い物相談の応用形態、友人探索の応用形態、存在サービスの応用形態、地域又はソーシャルメディアの応用形態、又はＷＣＤの周囲についての情報を提供する他の応用形態が含まれうる。
【０１７９】
上記の公共的な応用形態に加えて、ロケーションベース測定を、ＦＣＣのＥ９１１サービス等の政府指令の応用形態にも利用可能である。その応用形態により、ネットワークオペレータが緊急通話の位置を決定することが可能になる。この応用形態を、屋内又は屋外環境における通話に利用することができる。
【０１８０】
全地球測位システム（ＧＰＳ）を利用して、ＷＣＤの位置を決定することもできるが、ＧＰＳベースの決定はしばしば、都会環境及び／又は屋内環境における性能が不十分な場合がある。電気通信ネットワークにおける測定ベースの位置決定の使用は、ＧＰＳベースの決定に取って代わる、又は補完するものである。例えば、ＧＮＳＳシステムは、無線信号測定とＧＰＳベースの測定の両方を使用することができる。ＧＮＳＳシステムには、衛星信号に行われるタイミング測定に依存する適応型ＧＮＳＳ（Ａ−ＧＮＳＳ）システム（例：Ａ−ＧＰＳシステム）を含むことができる。
【０１８１】
ＵＬ又はＤＬ測定を使用してＷＣＤの位置又は配置を決定する他の手法又は応用形態を下記に示す：
セルＩＤ（ＣＩＤ）−  一又は複数のセルＩＤを有効利用する基礎的な位置決め方法；
【０１８２】
エンハンスドセルＩＤ（Ｅ−ＣＩＤ）−Ｅ−ＣＩＤ手法はセルＩＤに依存しうるが、ＤＬ又はＵＬ測定も利用する。ＬＴＥ又はＵＭＴＳでは、上記測定は、例えば、Ｒｘ−Ｔｘ時間差測定、ｅＮｏｄｅＢ  Ｒｘ−Ｔｘ時間差測定、ＲＳＲＰ測定、ＲＳＲＱ測定、ＣＰＩＣＨ測定、到達角（ＡＯＡ）測定、又はこれらの任意の組み合わせを含む。Ｅ−ＣＩＤは、適応型Ｅ−ＣＩＤ（Ａ−ＥＣＩＤ）手法を含むことができる。
【０１８３】
観察到達時間差（ＯＴＤＯＡ）−ＯＴＤＯＡとは、ＷＣＤによってＤＬ無線信号に行われるタイミング測定（例：ＬＴＥのＲＳＴＤ）を利用した手法である。ＤＬ信号は、複数の基地局によって送信されうる。
【０１８４】
ＵＬ到達時間差（ＵＴＤＯＡ）−ＵＴＤＯＡとは、測定ノードによってＷＣＤからのＵＬ無線信号に行われるＵＬタイミング測定（例：ＬＴＥのＵＬ  ＲＴＯＡ）を利用した手法である。
【０１８５】
到達時間差、又は到達時間（ＯＴＤＯＡ、ＵＴＤＯＡ、又はＧＮＳＳ／Ａ−ＧＮＳＳ）に基づく手法では、位置決め計算のフォーマットは、（例えばＯＴＤＯＡの場合）複数の双曲線、又は逆双曲線、又は（例えばＵＴＤＯＡ、ＧＮＳＳ、又はＡ−ＧＮＳＳの場合）円又は弧が交差した結果である不確定円／楕円／楕円体を有する楕円体ポイントであってよい。
【０１８６】
上述した手法のハイブリッド、又はその他任意の手法のハイブリッドを使用することができる。ハイブリッド手法には、異なる位置決め方法及び／又は測定又は結果が含まれうる。ハイブリッド手法には、上記の方法を任意に混合することが伴い、位置決め決定の結果、例えば多角形等の任意の様々な形状ができる可能性がある。
【０１８７】
一実施形態では、セルラー位置決め手法は、（ＯＴＤＯＡ手法又はＥ−ＣＩＤ手法では）ｅＮｏｄｅＢ又はビーコンデバイスの配置、又は（ＵＴＤＯＡ手法では）ＬＭＵアンテナの配置等のアンカーノードの配置情報に依存することができる。アンカーノードの配置を、ＡＥＣＩＤ、ハイブリッド位置決め、又は他の手法にも使用することができる。
【０１８８】
ＬＴＥの位置決めアーキテクチャ
上述したように、ＵＬ測定を使用して、ロケーションベースサービス（ＬＢＳ）を提供することができる。ＬＴＥの位置決めアーキテクチャは、３つのネットワーク要素：ＬＣＳクライアント、ＬＣＳターゲット、及びＬＣＳサーバを含む。ＬＣＳサーバは、測定値及び他の配置情報を収集し、必要に応じて測定において端末を支援し、ＬＣＳターゲットの配置を推定することによってＬＣＳターゲットデバイスの位置決めを管理する物理的又は論理的エンティティである。ＬＣＳクライアントとは、一又は複数のＬＣＳターゲットの配置情報を取得する目的でＬＣＳサーバとやり取りするソフトウェア及び／又はハードウェアエンティティである。図２は、ＬＣＳクライアント１７０を外部ノードとして示しているが、他の実施形態では、ＬＣＳクライアントはネットワークノード、緊急応答機関（ＰＳＡＰ）、ＷＣＤ、又は無線基地局であってよい。一実施形態では、ＬＣＳクライアントは、ＬＣＳターゲットに属するものであってよい（例：ＷＣＤユーザは、彼／彼女の位置を知りたがっている）。一実施形態では、ＬＣＳサーバは、ＬＣＳターゲットの速度を推定する。
【０１８９】
ＬＣＳサーバ（例：ｅ−ＳＭＬＣ又はＳＬＰ）又はその他任意の位置決めノードは、一又は複数の測定ノードからの一又は複数の測定値に基づいてＷＣＤ又は他のノードの位置を計算することができる。一例として、ＬＭＵ適応型手法は、一又は複数のＬＭＵからＵＬ測定値を収集し、ＵＬ測定値をアップリンク到達時間差（ＵＴＤＯＡ）等の位置計算プロセスに使用することに依存しうる。
【０１９０】
ＵＬ測定は基本的に、任意の無線ネットワークノード（例：基地局）によって行うことが可能であるが、特定のＵＬ測定ユニット（例：ＬＭＵ）を位置アーキテクチャの一部として使用することができる。ＬＭＵは論理ノード、物理ノード、又はこれらの任意の組み合わせであってよい。    
【０１９１】
ＬＴＥ位置決めアーキテクチャでは、測定ノードは、ＬＴＥ位置決めプロトコルＡ（ＬＰＰａ）等の通信プロトコルを使用して位置決めネットワークノード、又は他のネットワークノードと通信することができる。ＬＰＰａは、ｅＮｏｄｅＢに情報と、ｅＮｏｄｅＢの測定値についてクエリを行うことによってユーザプレーンの位置決めを支援することができるが、制御プレーン位置決め手順にのみに定められたｅＮｏｄｅＢとＬＣＳサーバとの間のプロトコルである。ＬＰＰａは、ＤＬ位置決め及びＵＬ位置決めに使用することができる。
【０１９２】
一実施形態では、ＳＬｍインターフェースアプリケーションプロトコル（ＳｌｍＡＰ）等のプロトコルを、位置決めノード（例：ｅ−ＳＭＬＣ）とＬＭＵとの間の通信に使用することができる。
【０１９３】
ドライブテストの最小化（ＭＤＴ）
ＵＬ測定は、ネットワークのドライブテスト（ＭＤＴ）機構の最小化を実行するために用いることができる。ＭＤＴ機構は，ＬＴＥ及びＨＳＰＡリリース１０で導入されている。ＭＤＴ機構は、ネットワークプランニング及び最適化のために情報を収集する際のオペレータの労力を軽減する手段を提供する。ＭＤＴ機構は、ＷＣＤが様々な種類の測定値、イベント、及び受信地域関連情報を記録する又は取得することを要求する。記録された、又は収集された測定値又は関連情報は次にネットワークへ送られる。これは、オペレータが同様の情報を、いわゆるドライブテスト及び手動の記録によって収集しなければならない従来のやり方とは対照的である。ＭＤＴは、ＴＳ３７．３２０に記載されている。
【０１９４】
ＷＣＤは、接続された状態で、及び低活動状態（例：ＵＴＲＡ／Ｅ−ＵＴＲＡではアイドリング状態、ＵＴＲＡではセルＰＣＨ状態）で測定値を収集することができる。
【０１９５】
測定報告は、サービングセル、及び隣接セル、同一周波数／異周波数／異ＲＡＴ情報、タイムスタンプ及び配置情報、又は無線フィンガープリント測定の測定結果を含む。この測定値は、アイドリング状態（記録型ＭＤＴ）又は接続された状態（即座報告型ＭＤＴ）で収集することができる。即座報告型ＭＤＴにおいては、ｅＮｏｄｅＢ測定値をＭＤＴの報告に含むことができる。
【０１９６】
さらに具体的には、ＭＤＴの測定報告は、
モビリティ測定値（例：Ｅ−ＵＴＲＡのＲＳＲＰ及びＲＳＲＱ、ＵＴＲＡのＲＳＣＰ及びＥｃ／Ｎｏ、ＣＤＭＡ２０００のパイロットＰｎフェーズ及びパイロット強度）
を含むことができる。
【０１９７】
無線リンク異常報告
ランダムアクセスプレアンブルが送信された数、最大送信電力が使用されたか否かの表示、Ｍｓｇが送られた数、検出されたコンテンション
ＵＥによる電力ヘッドルーム測定（ＴＳ３６．２１３）
ｅＮｏｄｅＢによる受信干渉電力測定（ＴＳ３６．２１４）
ｅＮｏｄｅＢによるＤＬ及びＵＬ個別のデータ量測定
ｅＮｏｄｅＢによるＤＬ及びＵＬ個別の定期的なＩＰスループット（ＴＳ３６．３１４）
自己組織ネットワーク（ＳＯＮ）
【０１９８】
ＵＬ測定を利用して、ネットワークで自己組織ネットワーク（ＳＯＮ）機構を実行することができる。ＬＴＥでは、ＳＯＮ機構の目的は、オペレータが自動的にネットワークのパラメータを計画して調整し、ネットワークノードを構成することを可能にすることである。
【０１９９】
ネットワークは手動の調整に依存しうるが、上記プロセスは多大な時間及びリソースを消費し、人員の相当の関与が必要である。具体的には、ネットワークの複雑性、多数のシステムパラメータ、ＩＲＡＴ技術等のために、いつでも必要な時にネットワークを自動的に構成することができる信頼性のある方式及び機構を有することが好ましい。これは、ＳＯＮによって実現することができ、ＳＯＮは、自動的なネットワークの調整、計画、構成、パラメータの設定、又はこれらの任意の組み合わせのタスクを行う一連のアルゴリズム及びプロトコルとして視覚化することができる。これを達成するために、ＳＯＮノードは、ＷＣＤ又は基地局等の他のノードから測定報告及び結果を要求する。
【０２００】
ＤＬ測定の報告基準
ＤＬ測定において、ＷＣＤ等の測定デバイスは、並行ＤＬ測定に関する特定の性能要件を満たさなければならない場合がある。例えば、３ＧＰＰ  ＴＳ  ３６．１３３によれば、ＷＣＤは、測定カテゴリごとに複数の報告基準（例：同一周波数測定カテゴリ、異周波数測定カテゴリ、又は異ＲＡＴ測定カテゴリ）をトラッキングすることが要求されうる。報告基準は、（イベントべースの報告の場合）一つのイベント、（定期的な報告の場合）期間、又は（ＷＣＤが報告を送信する必要はないが、測定を行うことが期待されている場合）非報告基準のいずれかに対応している。ＷＣＤは、測定関連の報告を送る前にすべての報告基準が満たされたことを決定する必要がある。報告基準要件では、一連の報告基準カテゴリ、ＷＣＤが並行してサポート可能でなければならないカテゴリごとの任意の数の報告基準、ＷＣＤが並行してサポート可能でなければならない報告基準の最大総数が規定されうる。複数の報告基準のサポートにはさらに、測定精度又は測定時間の要件を満たすとともに、複数の報告基準をトラッキングすることが伴いうる。ＷＣＤは、ＷＣＤに要求されている測定構成がこれらの要件を超えない（例えば、ＷＣＤが報告基準要件に規定されている以上の報告基準をサポートするように要求されていない）限り、ＷＣＤは、この標準（例：関連するすべての測定精度及び測定時間要件）によって定義される性能要件を満たすように構成することができる。
【０２０１】
下記の表は、Ｅ−ＵＴＲＡセルのＷＣＤの要件を規定するＴＳ３６．１３３の報告基準要件の例を示すものである。
【０２０２】
0005948505.tif 000003
【０２０３】
この表は、ＷＣＤが測定カテゴリごとに並行して最大９つの報告基準をサポート可能であり、すべての測定カテゴリに対して合計２５の報告基準をサポート可能でなくてはならない要件を示したものである。報告基準要件はさらに、ＷＣＤが搬送波アグリゲーション（ＣＡ）を使用するか否か等の他の要因の影響を受ける可能性がある。例えば、ＷＣＤが搬送波アグリゲーション方式において二次セルを使用した場合、ＷＣＤはすべての測定カテゴリに対して合計最大３４の報告基準をサポートするように要求されうる。
【０２０４】
多重搬送波又は搬送波アグリゲーション概念
一実施形態では、ＵＬ測定は、多重搬送波又は搬送波アグリゲーションで行うことができる。この手法を使用して、ある技術のピーク速度を速めることができる。例えば、ＨＳＰＡにおいて多重５ＭＨｚ搬送波を使用して、ＨＳＰＡネットワークのピーク速度を速めることが可能である。同様にＬＴＥにおいては、例えば、多重２０ＭＨｚ搬送波、又はさらに小さい搬送波（例：５ＭＨｚ）をＵＬ及び／又はＤＬにおいて集約することができる。多重搬送波又は搬送波アグリゲーションシステムの各搬送波は一般に、コンポーネント搬送波（ＣＣ）と称され、又はしばしばセルとも呼ばれる。簡単に言うと、コンポーネント搬送波（ＣＣ）とは、多重搬送波システムの個々の搬送波を意味する。搬送波アグリゲーション（ＣＡ）という用語も、「多重搬送波システム」、「多重セル動作」、「多重搬送波動作」、「多重搬送波」送信及び／又は受信と呼ばれる。これは、ＣＡがアップリンク及びダウンリンク方向のシグナリング及びデータの送信に使用されることを意味する。ＣＣのうちの一つは、一次コンポーネント搬送波（ＰＣＣ）又は単純に一次搬送波又はアンカー搬送波でもある。もう一つは、二次コンポーネント搬送波（ＳＣＣ）又は単純に二次搬送波、又は補足搬送波と呼ばれる。一般に、一次又はアンカーＣＣは、基本的なＵＥ固有のシグナリングを伝達する。一次ＣＣは、アップリンク及びダウンリンク方向ＣＡのいずれにも存在する。ネットワークは、同じセクタ又はセルで動作している異なるＷＣＤに異なる一次搬送波を割り当てることができる。
【０２０５】
したがって、ＷＣＤは、ダウンリンク及び／又はアップリンクにおいて一を超えるサービングセル：ＰＣＣ及びＳＣＣにおいてそれぞれ動作している一つの一次サービングセル及び一以上の二次サービングセルを有することができる。サービングセルは交互に、一次セル（ＰＣｅｌｌ）又は一次サービングセル（ＰＳＣ）と呼ばれる。同様に、二次サービングセルは交互に、二次セル（ＳＣｅｌｌ）又は二次サービングセル（ＳＳＣ）と呼ばれる。専門用語に関わらず、ＰＣｅｌｌ及びＳＣｅｌｌ（複数可）によりＷＣＤはデータの受信及び／又は送信が可能になる。さらに具体的には、ＰＣｅｌｌ及びＳＣｅｌｌは、ＷＣＤによるデータの送受信のためにＤＬ及び／又はＵＬに存在する。ＰＣＣ及びＳＣＣの残りの非サービングセルは、隣接セルと呼ばれる。
【０２０６】
ＣＡに属するＣＣは、同じ周波数帯域（同一帯域ＣＡとも呼ばれる）、又は異なる周波数帯域（異帯域ＣＡ）、又はこれらの任意の組み合わせ（例：帯域Ａに２つのＣＣ、帯域Ｂに１つのＣＣ）に属しうる。２つの帯域にわたって分配される搬送波を含む異帯域ＣＡは、ＨＳＰＡの二重帯域二重搬送波−ＨＳＤＰＡ（ＤＢ−ＤＣ−ＨＳＤＰＡ）、又はＬＴＥの異帯域ＣＡとも呼ばれる。さらに、同一帯域ＣＡのＣＣは、周波数ドメイン（同一帯域非隣接ＣＡとも呼ばれる）において隣接していてよく、隣接していなくてもよい。同一隣接帯域、同一非隣接帯域、及び異帯域からなるハイブリッドＣＡも可能である。異なる技術の搬送波間で搬送波アグリゲーションを使用することを、「複数無線方式搬送波アグリゲーション」又は「複数無線方式多重搬送波システム」又は「異ＲＡＴ搬送波アグリゲーション」とも呼ばれる。例えば、ＷＣＤＭＡ及びＬＴＥからの搬送波を集約することができる。別の例では、ＬＴＥ及びＣＤＭＡ２０００搬送波が集約される。明確にするため、記載される同じ技術の搬送波アグリゲーションを、「同一ＲＡＴ」又は単に「同一無線方式」搬送波アグリゲーションとみなすことができる。本明細書でさらに使用されるＣＡという用語は、任意の種類の搬送波アグリゲーションを意味しうる。
【０２０７】
ＣＡのＣＣは、同じ場所、又は基地局、又は無線ネットワークノード（例：中継装置、可動中継装置等）の同じところに位置づけされていてよく、されていなくてもよい。例えば、ＣＣは、異なる場所で生じる（すなわち送信される／受信される（例えば同じところに位置づけされていないＢＳから、又はＢＳ及びＲＲＨから又はＲＲＵから）ことが可能である。ＣＡとマルチポイント通信の組み合わせの例には、ＤＡＳ、ＲＲＨ、ＲＲＵ、ＣｏＭＰ、マルチポイント送信／受信等がある。本開示は、マルチポイント搬送波アグリゲーションシステムにも適用される。
【０２０８】
多重搬送波操作を、マルチアンテナ送信と合わせて使用することができる。例えば、各ＣＣの信号を、２以上の送信アンテナを介してｅＮｏｄｅＢによってＵＥに送信することができる、又は２以上の受信アンテナを介してｅＮｏｄｅＢによって受信することができる。
【０２０９】
Ｒｅｌ−１１搬送波アグリゲーションによれば、一又は複数のＳＣｅｌｌを、新種の搬送波（ＮＣＴ）とも呼ばれる追加の種類の搬送波（ＡＣＴ）で操作することもできる。ＡＣＴ又はＮＣＴはＳＣＣであるが、ＮＣＴのセルは、時間及び／又は周波数ドメインにおいて含まれる特定の種類の信号数が少ない場合がある。例えば、ＮＣＴのセルは、セル固有の基準信号（ＣＲＳ）を、５ミリ秒毎の一サブフレームにのみ含みうる。ＣＲＳを周波数ドメインにおいて縮小させることもできる（例えば、セルＢＷが２５ＲＢよりも大きい場合であっても、ＣＲＳは２５ＲＢを中心とする）。レガシー搬送波では、ＣＲＳは、全帯域幅にわたって全てのサブフレームで送信される。また、同期信号は、レガシー（例：レガシーネットワークの５ミリ秒）と比べて、経時的に密度が減る可能性があり、構成可能なパターンにしたがって送信することもできる。ＮＣＴのＳＣｅｌｌはしたがって、データを受信するために使用されるが、重要な制御情報は主にＰＣｅｌｌで送られ、ＰＣＣに送信される。ＰＣＣは、標準のレガシー搬送波である（例：Ｒｅｌ−８共通チャンネル及び信号をすべて含む）。
【０２１０】
本発明に記載されるシグナリングは、直接的なリンク、又は論理的なリンクのいずれかを介する（例えば、高位層プロトコルを介して、及び／又は一又は複数のネットワーク及び／又は無線ノードを介して）。例えば、調整ノードからのシグナリングは、別のネットワークノード、例えば無線ネットワークノードを通過しうる。
【０２１１】
記載された実施形態にしたがって本発明を適用することによって、並行ＵＬ測定で信号測定ノードに過負荷がかかる、又は信号測定ノードが十分に用いられない上述した問題に対処することができる。
【０２１２】
本発明の様々な態様及び実施形態を上述してきたが、これらは例示のためのみに提示されているものであって、限定するものではないことを理解すべきである。したがって、本発明の範囲は、上述したいかなる例示の実施形態によっても限定すべきではない。さらに、本明細書において別段の明示がない限り、又は文脈による明らかな反論がない限り、本明細書に記載された要素の、すべての可能な変形例における任意の組み合わせも本発明に包含される。
【０２１３】
加えて、本明細書に記載され、図面に示されるプロセスをステップの配列として示したが、これは説明のためにのみ行ったことである。したがって、いくつかのステップを追加することができ、いくつかのステップを省くことができ、ステップの順番を再配列することができ、いくつかのステップを並行して行うことができることが考えられる。
【図１】
0005948505.tif 000004
【図２】
0005948505.tif 000005
【図３】
0005948505.tif 000006
【図４】
0005948505.tif 000007
【図５】
0005948505.tif 000008
【図６】
0005948505.tif 000009
【図７】
0005948505.tif 000010
【図８】
0005948505.tif 000011
【図９】
0005948505.tif 000012
【図１０】
0005948505.tif 000013
【図１１】
0005948505.tif 000014
【図１２】
0005948505.tif 000015
【図１３Ａ】
0005948505.tif 000016
【図１３Ｂ】
0005948505.tif 000017
【図１４】
0005948505.tif 000018
【図１５】
0005948505.tif 000019
【図１６】
0005948505.tif 000020
【図１７】
0005948505.tif 000021
【図１８Ａ】
0005948505.tif 000022
【図１８Ｂ】
0005948505.tif 000023
【図１９】
0005948505.tif 000024